(57)【特許請求の範囲】
【請求項１】
調節可能なダンベルシステムであって、
第１のウェイトと、
前記第１のウェイトにより支持される補助ウェイトと、
ハンドルアッセンブリであって、
シャフト、
前記シャフトと動作可能に関連付けられて前記シャフトの長手軸の周りで回転する回転部材を備えるハンドル、および
前記シャフトの前記長手軸の周りで回転するセレクターディスク
を備えるハンドルアッセンブリと
を備え、
前記セレクターディスクは前記セレクターディスクの回転方向に応じて前記第１のウェイトと前記補助ウェイトを前記ハンドルアッセンブリに固定して接合し、
前記補助ウェイトは前記第１のウェイトを前記ハンドルアッセンブリに固定して接合せずに前記ハンドルアッセンブリに固定して接合でき、一方前記第１のウェイトは前記補助ウェイトを前記ハンドルアッセンブリに固定して接合せずに前記ハンドルアッセンブリに固定して接合できない、調節可能なダンベルシステム。
【請求項２】
前記補助ウェイトは前記第１のウェイトに入れ子にされる、請求項１に記載の調節可能なダンベルシステム。
【請求項３】
前記第１のウェイトは内側壁を含み、
前記補助ウェイトは前記内側壁により支持される、請求項１または２に記載の調節可能なダンベルシステム。
【請求項４】
前記第１のウェイトは前記内側壁から内側に延伸し、前記補助ウェイトを前記内側壁に沿って軸方向に配置する１つまたは複数の位置決め壁を含む、請求項３に記載の調節可能なダンベルシステム。
【請求項５】
前記セレクターディスクはウェイト選択フィーチャーを含み、
前記第１のウェイトは、前記ウェイト選択フィーチャーと係合するように構成されて前記第１のウェイトおよび前記補助ウェイトを前記ハンドルアッセンブリに固定して接合する係合フィーチャーを含む、請求項１から４のいずれか１項に記載の調節可能なダンベルシステム。
【請求項６】
前記係合フィーチャーは前記第１のウェイトの遠位側に取り付けられる、請求項５に記載の調節可能なダンベルシステム。
【請求項７】
前記補助ウェイトは前記補助ウェイトの近位側に取付けられて前記第１のウェイトを前記ハンドルアッセンブリに固定して接合せずに前記補助ウェイトを前記ハンドルアッセンブリに固定する係合フィーチャーを含む、請求項１から６のいずれか１項に記載の調節可能なダンベルシステム。
【請求項８】
さらに、前記補助ウェイトの前記係合フィーチャーの径方向外側に離間したウェイト選択フィーチャーを含む表示ディスクを備え、
前記表示ディスクの前記ウェイト選択フィーチャーは前記表示ディスクの回転方向に応じて前記補助ウェイトの前記係合フィーチャーの下に位置決め可能であり、前記第１のウェイトを前記ハンドルアッセンブリに固定して接合せずに前記補助ウェイトを前記ハンドルアッセンブリに固定して接合する、請求項７に記載の調節可能なダンベルシステム。
【請求項９】
前記第１のウェイトおよび前記補助ウェイトは前記表示ディスクおよび前記セレクターディスクの間に配置される、請求項８に記載の調節可能なダンベルシステム。
【請求項１０】
さらに、前記第１のウェイトと前記補助ウェイトとの間に配置されるセパレーターディスクを備える、請求項９に記載の調節可能なダンベルシステム。
【請求項１１】
前記第１のウェイトおよび前記補助ウェイトは前記セレクターディスク、前記表示ディスクまたは前記セパレーターディスクの少なくともいずれか１つのスリーブを受容する経路を形成する、請求項１０に記載の調節可能なダンベルシステム。
【請求項１２】
前記経路は前記第１のウェイトおよび前記補助ウェイトの周囲を通って延伸し、前記補助ウェイトの長手方向中央線の周りに配置される半円の円弧で終結する、請求項１１に記載の調節可能なダンベルシステム。
【請求項１３】
前記経路は前記半円の円弧の直径と等しい一定の幅を含む、請求項１２に記載の調節可能なダンベルシステム。
【請求項１４】
前記経路は前記セレクターディスク、前記表示ディスクまたは前記セパレーターディスクの少なくともいずれか１つの前記スリーブが前記経路内で回転可能となる大きさである、請求項１１、１２または１３に記載の調節可能なダンベルシステム。
【請求項１５】
前記第１のウェイトの少なくとも一部は前記補助ウェイトの遠位側に配置される、請求項１から１４のいずれか１項に記載の調節可能なダンベルシステム。
【発明の詳細な説明】
【技術分野】
【０００１】
（関連出願の相互参照）
この特許協力条約の特許出願は、２０１４年６月１３日に出願された「Ａｄｊｕｓｔａｂｌｅ  Ｄｕｍｂｂｅｌｌ  Ｓｙｓｔｅｍ」という標題の米国特許出願第１４／３０４，８５３号の優先権を主張し、それは、その全体が参照により本明細書に組み込まれている。
本開示は一般に調節可能なダンベルシステムに関し、より詳細には、ダンベルの対向する端部に取り付け可能な付加的ウェイトを含み得る調節可能なダンベルシステムに関する。
【背景技術】
【０００２】
ダンベルは、バイセップカール、ベンチプレス、ショルダープレス、およびトライセプスエクステンションなどのような、多種多様なエクササイズにおいて、レジスタンストレーニングを提供するために幅広く使用されているエクササイズデバイスである。ダンベルを用いて行われ得るエクササイズの数に起因して、ユーザーは、エクササイズルーティンを行うために、それぞれが異なるウェイトを備える多くの異なるダンベルを必要とすることが多い。伝統的なダンベルは、使用するのがいくらか不便である。その理由は、ユーザーは、ダンベルのウェイトを変えることを望むたびに、より重いダンベルを選択しなければならないか、または、ダンベルを分解し、ウェイトを変えなければならないか、のいずれかであるからである。
これらの問題に対応し、調節可能なダンベルはユーザーが多数の異なる重量のダンベルを必要とせずに多様な運動ルーティンを実行できるようにデザインされてきた。これらの調節可能なダンベルは、典型的に、長さおよびウェイトインクリメント（ｗｅｉｇｈｔ−ｉｎｃｒｅｍｅｎｔ）の制約に起因して、より軽いウェイト調節可能なダンベル、および、より重いウェイト調節可能なダンベルへと区分され得る。軽量の調節可能なダンベルは通常、ウェイトの設定間でウェイトの増分が小さく、短い長さを有するが、全体の重量範囲は制限されている。より重いウェイト調節可能なダンベルは、より大きい全体的なウェイトレンジを有するが、典型的に、ウェイト設定同士の間で、相対的に大きいウェイトインクリメントを有し、ダンベルの合理的な長さを維持している。
【発明の概要】
【課題を解決するための手段】
【０００３】
開示の例は調節可能なダンベルシステムまたはその要素を含み得る。ある例では、調節可能なダンベルシステムはハンドルアッセンブリおよびウェイトを含み得る。ウェイトは選択アッセンブリを含み得、選択アッセンブリはセレクターおよび選択部材を含み得る。セレクターは回転面において回転し得、選択部材を、ウェイトがハンドルアッセンブリに固定して接続される選択即ち係合位置とウェイトがハンドルアッセンブリに固定して接続されない非選択即ち離脱位置との間で直線状に前後に移動させる。選択部材は回転面と平行でない運動線に沿って直線状に移動し得る。
ある例では、ハンドルアッセンブリは長手方向の軸を有するシャフトを有し得、選択部材は選択即ち係合位置と非選択即ち離脱位置との間で軸方向に前後に移動可能であり得る。
【０００４】
ある例では、調節可能なダンベルはハンドルアッセンブリと２つ以上のウェイトを含み得る。ハンドルアッセンブリはシャフト、ハンドルおよび少なくとも１つのディスクを含み得る。ハンドルはシャフトの長手軸の周りで回転するためにシャフトと動作可能に関連付けられる回転可能部材を含み得る。少なくとも１つのディスクはシャフトの長手軸の周りで回転し得る。２つ以上のウェイトはシャフトの一端部に関連付けられた第１の組のウェイトとシャフトの対向する端部に関連付けられた第２の組のウェイトにグループ化され得る。回転可能部材は第１の組のウェイトと第２の組のウェイトとの間に配置され得る。少なくとも１つのディスクは、２つ以上のウェイトの少なくとも１つに対する少なくとも１つのディスクの回転方向に応じて、２つ以上のウェイトの少なくとも１つをハンドルアッセンブリに固定して接合し得る。少なくとも１つのディスクは、回転可能部材と一致して回転するように回転可能部材に取り付けられ得る。
【０００５】
ある例において、調節可能なダンベルシステムは調節可能なダンベルを含み得る。調節可能なダンベルはハンドルアッセンブリと少なくとも１つのウェイトを含み得る。ハンドルアッセンブリはシャフト、少なくとも１つのディスクおよびロック機構を含み得る。少なくとも１つのディスクはシャフトの長手軸の周りで回転し得、少なくとも１つのディスクはロックフィーチャーとウェイト選択フィーチャーを含み得る。ロック機構は付勢され、ロックフィーチャーに係合し、少なくとも１つのディスクがシャフトの長手軸の周りで回転することを防止し得る。少なくとも１つのウェイトは、ウェイト選択フィーチャーが少なくとも１つのウェイトと係合する時ハンドルアッセンブリに固定して接合され得、ウェイト選択フィーチャーが少なくとも１つのウェイトと係合しない時ハンドルアッセンブリに固定して接合されない。ウェイト選択フィーチャーは少なくとも１つのディスクの回転方向に基づき少なくとも１つのウェイトと係合してもよく、または係合しなくてもよい。
【０００６】
ある例において、調節可能なダンベルは第１のウェイト、補助ウェイトおよびハンドルアッセンブリを含み得る。補助ウェイトは第１のウェイトにより支持され得る。ハンドルアッセンブリはシャフト、ハンドルおよび少なくとも１つのディスクを含み得る。ハンドルはシャフトと動作可能に関連付けられシャフトの長手軸の周りで回転する回転可能部材を含み得る。少なくとも１つのディスクは、シャフトの長手軸の周りで回転し得る。少なくとも１つのディスクは、少なくとも１つのディスクの回転方向に応じて第１のウェイトおよび補助ウェイトをハンドルアッセンブリに固定して接合し得る。補助ウェイトは、第１のウェイトをハンドルアッセンブリに固定して接合せずにハンドルアッセンブリに固定して接合でき、一方第１のウェイトは補助ウェイトをハンドルアッセンブリに固定して接合せずにハンドルアッセンブリに固定して接合できない。
【０００７】
ある例では、ウェイトはハンドルアッセンブリから遠位に配置されてもよく、選択アッセンブリの少なくとも一部はウェイトの遠位側に配置されてもよい。
ある例では、選択部材はハンドルアッセンブリのシャフトの長手軸に軸方向に整列するか、または垂直にずれてもよい。
ある例では、調節可能なダンベルシステムは更にベースおよびベースに支持された２つ以上のウェイトを含み得る。２つ以上のウェイトはハンドルアッセンブリの一端に関連付けられた第１の組のウェイトとハンドルアッセンブリの対向する端部に関連付けられた第２の組のウェイトにグループ化され得る。２つ以上のウェイトの各々はハンドルアッセンブリのハンドルの回転によりハンドルアッセンブリに選択的に固定し接続され得る。ハンドルアッセンブリは更に、２つ以上のウェイトの少なくとも１つをハンドルアッセンブリに選択的に固定して接続するための、ハンドルに一致して回転する少なくとも１つのディスクを含み得る。
ある例では、少なくとも１つのディスクの少なくとも１つは、少なくとも１つのディスクの対向面から突出して２つ以上のウェイトの隣接するウェイトを係合させる第１のウェイト選択フィーチャーおよび第２のウェイト選択フィーチャーを含み得る。
【０００８】
ある例では、ハンドルアッセンブリは更に、ハンドルアッセンブリがベースから取り外される時に少なくとも１つのディスクのうちの１つと干渉し、２つ以上のウェイトに対する少なくとも１つのディスクの回転を防止するロック部材を含み得る。ロック部材は非ロック位置とロック位置の間で垂直に移動し得る。ロック部材は垂直方向の付勢部材によりロック位置に付勢され得る。
ある例では、ベースはウェイトを収容するように再構成されてもよい。ベースは着脱可能な端部壁を含むおよび／または長さ方向に拡大可能でもよい。
【０００９】
ある例では、調節可能なダンベルシステムは第２のウェイトを含み得る。第２のウェイトは第２のセレクターおよび第２の選択部材を含む第２の選択アッセンブリを含み得る。第２のセレクターは回転面において回転し得、第２の選択部材を、第２のウェイトがハンドルアッセンブリに固定して接続される選択即ち係合位置と第２のウェイトがハンドルアッセンブリに固定して連結されない非選択即ち離脱位置との間で直線状に前後に移動させる。第２の選択部材は回転面と平行でない運動線に沿って直線状に移動し得る。
ある例では、ハンドルアッセンブリはウェイトとハンドルとの間に位置する端部キャップを含み得る。ウェイトおよび端部キャップは各々ウェイト取付けフィーチャーを含み得る。ウェイト取付けフィーチャーはウェイトをハンドルアッセンブリに相互連結し、ウェイトとハンドルアッセンブリとの間の剛体運動の６つの自由度のうちの５つの動きを拘束し、かつウェイトが剛体運動の移転自由度に沿ってハンドルアッセンブリに対して移動できるようにする。ウェイト取付けフィーチャーはウェイトと端部キャップとの間に蟻継ぎを形成し得る。
【００１０】
ある例では、付勢部材は選択部材と動作可能に関連付けられ、選択部材を選択即ち係合位置に付勢し得る。
ある例では、付勢フィーチャーはセレクターと動作可能に関連付けられ、セレクターの回転位置に応じて選択部材を非選択位置または選択位置に付勢し得る。
ある例では、回転可能部材はシャフトの中心部分に配置されたスリーブを含み得、少なくとも１つのディスクの各々はシャフトの端部の１つに配置され得る。
ある例では、追加のウェイトは選択アッセンブリを含み得る。追加のウェイトはハンドルアッセンブリの端部キャップから遠位に配置され得、選択アッセンブリを介してハンドルアッセンブリに選択的に固定して接続され得る。端部キャップはシャフトの端部の１つに固定して取り付けられ得る。
ある例では、ベースはロックフィーチャーを含み得、ロックフィーチャーは、少なくとも１つのディスクがシャフトの長手軸の周りを回転できるようにロック機構と少なくとも１つのディスクのロックフィーチャーを離脱させる。
ある例では、調節可能なダンベルのベースからの取り外しは、ロックフィーチャーが少なくとも１つのディスクの回転方向に基づき係合される状態でベースのロックフィーチャーが少なくとも１つのディスクのロックフィーチャーに係合する時に防止される。
【００１１】
この開示の概要は本開示を理解する助けとなるように提供される。本開示の様々な態様および特徴のそれぞれは、有利には、いくつかの場合では、別々に使用され、または、他の場合では、本開示の他の態様および特徴と組み合わせて使用され得る。したがって、本開示は、例の観点から提供されているが、任意の例の個々の態様は、別々に、または、その例または任意の他の例の態様および特徴と組み合わせて、特許請求され得る。
この概要は、本開示の完全な程度および範囲を表すものとして意図されておらず、また、本開示の完全な程度および範囲を表すものとして解釈されるべきでもない。本開示は、本出願において、様々なレベルの詳細に述べられており、この概要の中のエレメントまたはコンポーネントなどを含むかまたは含まないかのいずれかによって、特許請求されている主題の範囲に関する限定は意図されていない。
添付の図面は、本明細書に組み込まれており、また、本明細書の一部を構成しており、添付の図面は、上記に与えられている全体的な説明、および、下記に与えられている詳細な説明とともに、本開示の例を図示し、これらの例の原理を説明する役割を果たしている。
【図面の簡単な説明】
【００１２】
【図１】本開示の例による調節可能なダンベルシステムの等角図である。
【図２】図１の調節可能なダンベルシステムの部分的に分解された等角図である。
【図３】図１の調節可能なダンベルシステムのハンドルアッセンブリの等角図である。
【図４】図３のハンドルアッセンブリの上面図である。
【図５】図４の線５−５に沿って見た、図３のハンドルアッセンブリの縦断面図である。
【図６】図３のハンドルアッセンブリの一部分の等角図である。
【図７】図３のハンドルアッセンブリの内側カバーの近位等角図である。
【図８】図７の内側カバーの遠位等角図である。
【図９】図３のハンドルアッセンブリのインデキシングディスクの近位等角図である。
【図１０】図９のインデキシングディスクの遠位等角図である。
【図１１】図３のハンドルアッセンブリの第１のセパレーターディスクの近位等角図である。
【図１２】図１１の第１のセパレーターディスクの遠位等角図である。
【図１３】図３のハンドルアッセンブリの第１のセレクターディスクの近位等角図である。
【図１４】図１３の第１のセレクターディスクの遠位等角図である。
【図１５】図３のハンドルアッセンブリの第２のセレクターディスクの近位等角図である。
【図１６】図１５の第２のセレクターディスクの遠位等角図である。
【図１７】図３のハンドルアッセンブリの端部キャップの近位等角図である。
【図１８】図１７の端部キャップの遠位等角図である。
【図１９Ａ】ディスクの回転を防止する第１の位置またはロックされた位置にロッキングメカニズムがある状態の、図５の線１９Ａ−１９Ａに沿って見た、図３のハンドルアッセンブリのロッキングメカニズム拡大断面図である。
【図１９Ｂ】ディスクの回転を許可する第２の位置またはアンロックされた位置にロッキングメカニズムがある状態の、図１９Ａのロッキングメカニズムの拡大断面図である。
【図１９Ｃ】図１の調節可能なダンベルシステムの横断面図である。
【図１９Ｄ】図１９Ｃの線１９Ｄ−１９Ｄに沿って見た、図１９Ａのロッキングメカニズムの拡大断面図である。
【図２０】図１の調節可能なダンベルシステムの第１のウェイトの近位等角図である。
【図２１】図２０の第１のウェイトの遠位等角図である。
【図２２】図１の調節可能なダンベルシステムの第２のウェイトの近位等角図である。
【図２３】図２２の第２のウェイトの遠位等角図である。
【図２４】図１の調節可能なダンベルシステムの第３のウェイトの近位等角図である。
【図２５】図２４の第３のウェイトの遠位等角図である。
【図２６】図１の調節可能なダンベルシステムの第４のウェイトの近位等角図である。
【図２７】図２６の第４のウェイトの遠位等角図である。
【図２８】図１の調節可能なダンベルシステムのウェイトの近位等角図である。
【図２９】図２８のウェイトの遠位等角図である。
【図３０】図２８のウェイトの選択アッセンブリの部分的に分解された遠位等角図である。
【図３１】図３０の選択アッセンブリの部分的に分解された近位等角図である。
【図３２】図３０の選択アッセンブリの一部分の近位立面図である。
【図３３】図３２の線３３−３３に沿って見た、図３０の選択アッセンブリの一部分の断面図である。
【図３４】図３０の選択アッセンブリのベースの遠位立面図である。
【図３５】図３４のベースの等角図である。
【図３６】図３４のベースの別の等角図である。
【図３７】選択されていない状態または解除されている状態の図３０の選択アッセンブリを伴う、図１の調節可能なダンベルシステムの拡大された長手方向の等角断面図である。
【図３８】選択されていない状態または解除されている状態の図３０の選択アッセンブリを伴う、図１の調節可能なダンベルシステムの別の拡大された長手方向の等角断面図である。
【図３９】選択されている状態または係合されている状態の図３０の選択アッセンブリを伴う、図１の調節可能なダンベルシステムの別の拡大された長手方向の等角断面図である。
【図４０】選択されている状態または係合されている状態の図３０の選択アッセンブリを伴う、図１の調節可能なダンベルシステムの更なる別の拡大された長手方向の等角断面図である。
【図４１】図１の調節可能なダンベルシステムの一方の端部の拡大された長手方向の等角断面図である。
【図４２】図４１に示されている調節可能なダンベルシステムの端部の別の拡大された長手方向の等角断面図である。
【図４３】図１の調節可能なダンベルシステムのもう１つのウェイトの遠位等角図である。
【図４４】図４３のウェイトの近位等角図である。
【図４５】図４３のウェイトの選択アッセンブリの組み立て分解近位等角図である。
【図４６】図４５の選択アッセンブリの組み立て分解遠位等角図である。
【図４７】図４５の選択アッセンブリの保持部材の遠位立面図である。
【図４８Ａ】図４３のウェイトの断面図であり、選択アッセンブリが選択即ち係合位置にある図である。
【図４８Ｂ】図４３のウェイトの断面図であり、選択アッセンブリが非選択即ち離脱位置にある図である。
【図４９】図６１に示す調節可能なダンベルのような調節可能なダンベルと共に使用するウェイトの遠位等角図である。
【図５０】図４９のウェイトの近位等角図である。
【図５１】図４９のウェイトの選択アッセンブリの組み立て分解近位等角図である。
【図５２】図５１の選択アッセンブリの組み立て分解遠位等角図である。
【図５３】調節可能なダンベルのハンドルアッセンブリに関連付けられた図４９のウェイトの断面図であり、選択アッセンブリが非選択即ち離脱状態で示される図である。
【図５４Ａ】図４９のウェイトの部分近位立面図であり、図５１の選択アッセンブリが非選択即ち離脱状態で示される図である。
【図５４Ｂ】図４９のウェイトの断面図であり、図５４Ａの５４Ｂ−５４Ｂ線に沿って切断した図である。
【図５５Ａ】図４９のウェイトの部分近位立面図であり、図５１の選択アッセンブリが選択位置と非選択位置の間にある図である。
【図５５Ｂ】図４９のウェイトアッセンブリの断面図であり、図５５Ａの５５Ｂ−５５Ｂ線に沿って切断した図である。
【図５６Ａ】図４９のウェイトの他の部分近位立面図であり、図５１の選択アッセンブリが選択位置と非選択位置の間にある図である。
【図５６Ｂ】図４９のウェイトの断面図であり、図５６Ａの５６Ｂ−５６Ｂ線に沿って切断した図である。
【図５７Ａ】図４９のウェイトの部分近位立面図であり、図５１の選択アッセンブリが選択即ち係合状態にある図である。
【図５７Ｂ】図４９のウェイトの断面図であり、図５７Ａの５７Ｂ−５７Ｂ線に沿って切断した図である。
【図５８】調節可能なダンベルシステムの第１のウェイトの遠位等角図である。
【図５９】図５８の第１のウェイトの近位等角図であり、第２のウェイトを入れ子にした図である。
【図６０】調節可能なダンベルの他の例の一端の長手方向断面図である。
【図６１】調節可能なダンベルシステムの他の例の等角図である。
【図６２】図６１の調節可能なダンベルシステムの再構成可能なベースの分解等角図である。
【図６３】図６２の再構成可能なベースの一端の部分断面図である。
【図６４】他の調節可能なダンベルシステムの斜視図である。
【図６５】図６４の調節可能なダンベルシステムの再構成可能なベースの斜視図である。
【図６６】図６４の調節可能なダンベルシステムの斜視図であり、再構成可能なベースに支持された追加のウェイトを含む図である。
【図６７】図６６の再構成可能なベースの長さ拡張部の斜視図である。
【発明を実施するための形態】
【００１３】
図面は、必ずしも原寸通りではない。特定の場合には、本開示を理解するために不必要な詳細、または、他の詳細を把握することを困難にする詳細は、省略されている可能性がある。添付の図面では、同様のコンポーネントおよび／または特徴は、同じ参照ラベルを有する可能性がある。更に、同じタイプの様々なコンポーネントは、同様のコンポーネントの中から区別する文字によって参照ラベルを辿ることによって区別され得る。第１の参照ラベルだけが本明細書で使用されている場合には、説明は、第２の参照ラベルに関係なく同じ第１の参照ラベルを有する同様のコンポーネントのうちの任意の１つに適用可能である。特許請求されている主題は、必ずしも、本明細書で図示されている特定の例または配置に限定されない。
【００１４】
本開示は、ユーザーがダンベルウェイトを選択することを可能にする調節可能なダンベルシステムを提供する。図１および図２を参照すると、調節可能なダンベルシステム１００は、調節可能なダンベル１０２およびベース１０４を含むことが可能である。ダンベル１０２のウェイトを変化させるために、ユーザーは、ベース１０４の中にダンベル１０２を置き、ダンベル１０２のハンドル１０６を回し、ウェイト１０８の所望の組み合わせに係合させ、そして、ベース１０４からダンベル１０２を除去し、所望のエクササイズを実施することが可能である。所望の組み合わせのウェイトが、ハンドル１０６に連結され得、未使用のウェイトは、ベース１０４の中に残ったままであることが可能である。ユーザーが異なるダンベルウェイトを望む場合には、ユーザーは、ダンベル１０２をベース１０４の中に置いて戻し、ハンドル１０６を回し、所望のウェイト１０８に係合させ、そして、所望のウェイトとともにベース１０４からダンベル１０２を除去することが可能である。例えば、エクササイズタイプの使用の間など、調節可能なダンベル１０２がベース１０４の中にないときには、調節可能なダンベル１０２は、ウェイト１０８を追加または除去することが困難であるように構成され得る。
【００１５】
ベース１０４は、ダンベル１０２を受け入れることが可能であり、また、ユーザーがダンベル１０２のウェイトを調節することを可能にすることができる。ダンベル１０２の使用の間に、ベース１０４は、ダンベル１０２に取り付けられていないウェイト１０８を保持することが可能である。ダンベル１０２を使用する前に、ユーザーは、最初に、持ち上げられるべきウェイトを決定し、ダンベル１０２がベース１０４の中にある間にハンドル１０６を回すことが可能であり、１つもウェイトがハンドルアッセンブリ１１４に固定して接続されないことを引き起こすか、または、１つまたは複数のウェイト１０８がハンドルアッセンブリ１１４に固定して接続されることを引き起こす。次いで、ユーザーは、ベース１０４からダンベル１０２を持ち上げることが可能である。調節可能なダンベル１０２に固定して接続されていないウェイト１０８は、いずれもベース１０４の中に残ったままである。
【００１６】
ベース１０４は、底部壁部１０９と、１つまたは複数の位置決め壁部１１０と、１対のロックフィーチャー１１２とを含むことが可能である。底部壁部１０９は、調節可能なダンベル１０２およびウェイト１０８を支持することが可能である。位置決め壁部１１０は、調節可能なダンベル１０２がベース１０４の中へ挿入されているときに、調節可能なダンベル１０２が適正に整列させられることを確実にすることが可能である。位置決め壁部１１０は、ハンドルアッセンブリ１１４に対して適正な場所に直立状態にウェイト１０８を保持することが可能であり、調節可能なダンベル１０２が、ベース１０４の中へ挿入されるように、また、ベース１０４から除去されるようになっている。位置決め壁部１１０は、間隔を置いて配置され得、ダンベル１０２がベース１０４の中に置かれているときに、隣接するウェイト１０８同士の間に嵌合するようになっており、また、ダンベル１０２がベース１０４から除去されるときに、ダンベル１０２に取り付けられていない任意のウェイト１０８を直立状態に維持するようになっている。
【００１７】
ロックフィーチャー１１２は、比較的にリジッドな金属、プラスチック、または、他の適切な材料から形成され得る。それぞれのロックフィーチャー１１２は、ベース１０４から上向きに延在することが可能である。いくつかの実施形態では、それぞれのロックフィーチャー１１２は、ベース１０４から上向きに延在するプレート状の垂直方向部分を含むことが可能であり、ベース１０４から遠位にある、垂直方向部分の端部部分から実質的に垂直に延在するプレート状の水平方向部分を備えている。それぞれのロックフィーチャー１１２の垂直方向部分および水平方向部分の配置は、ベース１０４の上方に延在するロックフィーチャー１１２の部分に関するＬ字形状のプロファイルに似ていることが可能である。ロックフィーチャー１１２は、ダンベル１０２がベース１０４の中に設置されているときに、調節可能なダンベル１０２の中に形成されたキャビティーの中へ延在するように、ベース１０４の上に位置決めされ得る。ロックフィーチャー１１２は、下記に更に説明されているように、ロッキングメカニズムを非活性化させることが可能であり、調節可能なダンベル１０２がベース１０４の中にあるときに、異なるウェイトの選択を可能にする。
【００１８】
図３〜図５を参照すると、調節可能なダンベル１０２は、ハンドルアッセンブリ１１４を含むことが可能である。ハンドルアッセンブリ１１４は、ハンドル１０６、シャフト１２７、１対の内側カバー１１８、１対のインデキシングディスク１２０、１つまたは複数のセパレーターディスク１２１、１つまたは複数のセレクターディスク１２２、１対の端部キャップ１２４、および、１対のブリッジ１２６を含むことが可能である。調節可能なダンベルシステム１００の両側の端部領域は、そうでないことが説明されている場合を除いて、概して互いに同一になっていることが可能である。したがって、調節可能なダンベル１０２またはベース１０４の一方の側の１つまたは複数のパーツが参照されているときには、対応するパーツまたは同様のパーツが、調節可能なダンベル１０２またはベース１０４の他方の側または端部領域にも配設され得るということが理解されるべきである。
図６を参照すると、調節可能なダンベル１０２のハンドル１０６は、スリーブなどのような、グリップ部分１２８および回転可能な部材１３２を含むことが可能である。グリップ部分１２８は、回転可能な部材１３２の上に装着され得、握るために快適で人間工学的な表面を提供するためにわずかに膨らませられていることが可能であり、ユーザーが調節可能なダンベル１０２をしっかりと把持することを促進させる。グリップ部分は、回転可能な部材１３２の中間点に対して概して対称的になっていることが可能である。
【００１９】
シャフト１２７は、回転可能な部材１３２によって画定されている概して円形の通路を通して受け入れられ得る。シャフト１２７のそれぞれの端部部分１３０（回転可能な部材１３２のいずれかの端部にあるもの）は、回転可能な部材１３２のそれぞれの端部を越えて延在することが可能である。回転可能な部材１３２は、シャフト１２７の長手方向軸線の周りに回転可能であり、ユーザーがハンドル１０６を回転させることによって所望のダンベルウェイトを選択することを可能にすることができる。いくつかの実施形態では、回転可能な部材１３２は、シャフト１２７に対して回転することが可能である。他の実施形態では、回転可能な部材１３２およびシャフト１２７は、シャフト１２７の長手方向軸線の周りに一体となって回転することが可能である。
【００２０】
回転可能な部材１３２は、回転可能な部材１３２の両側の端部に形成されている係合フィーチャー１３４を含むことが可能である。それぞれの係合フィーチャー１３４は、それぞれのインデキシングディスク１２０に係合することが可能であり、インデキシングディスク１２０が、回転可能な部材１３２と一体になって回転するようになっている。シャフト１２７の端部部分１３０は、波形スプリングワッシャーおよび保持リングなどのような、１対の保持フィーチャー１３６を含むことが可能であり、１対の保持フィーチャー１３６は、端部部分１３０の外側端部または終端端部に隣接して配設されている。保持フィーチャー１３６は、端部部分１３０の外周部を越えて延在することが可能であり、また、任意の間置されたセパレーターディスク１２１およびセレクターディスク１２２を通して伝達される軸線方向の力をインデキシングディスク１２０に印加することが可能であり、回転可能な部材１３２の係合フィーチャー１３４にインデキシングディスク１２０が係合されたままになることを確実にする。本明細書で使用されているように、内側および近位という用語は、ハンドル１０６のグリップ部分１２８に向かう方向を表しており、外側および遠位という用語は、シャフト１２７の端部部分１３０の終端端部に向かう方向を表している。
【００２１】
図５は、ハンドル１０６の長手方向の中心線に沿って見た、ウェイト１０８がハンドルアッセンブリ１１４にまったく取り付けられていない状態の、調節可能なダンベル１０２の断面図を示している。インデキシングディスク１２０、セパレーターディスク１２１、およびセレクターディスク１２２は、シャフト１２７の端部部分１３０の上に装着され、また、内側カバー１１８から遠位に配置され得る。ハンドル１０６、インデキシングディスク１２０、セパレーターディスク１２１、およびセレクターディスク１２２は、回転方向に互いにインターロック接続され得る。ハンドル１０６を握って回すことによって、インデキシングディスク１２０、セパレーターディスク１２１、およびセレクターディスク１２２は、内側カバー１１８およびウェイト１０８に対して、一体となって回転させられ得る。いくつかの実装形態では、回転可能な部材１３２、インデキシングディスク１２０、セパレーターディスク１２１、セレクターディスク１２２、または、それらの組み合わせは、シャフト１２７の上に締まり嵌めされており、ウェイト選択の間に、シャフト１２７がハンドル１０６と一体になって回転することを結果として生じさせる。
【００２２】
図３〜図５、図７、および図８を参照すると、それぞれの内側カバー１１８は、回転可能な部材１３２の端部に隣接して、シャフト１２７の上に装着され得る。内側カバー１１８は、概して中央に形成されたアパーチャー１３８をそれぞれ画定することが可能であり、アパーチャー１３８は、それを通してシャフト１２７のそれぞれの端部部分１３０を受け入れるためのものである。それぞれの内側カバー１１８は、シャフト１２７の両側のそれぞれの端部部分１３０の上に装着され得、また、回転可能な部材１３２の半径方向に延在するショルダー部に当接されており、シャフト１２７に沿って内側カバー１１８を軸線方向に位置付けすることが可能である。ダンベル１０２がベース１０４の中に位置決めされているときに、内側カバー１１８は、ベース１０４の中に回転不能に着座させられ得る。内側カバー１１８の下側は、ベース１０４の底部壁部１０９に当接することが可能である。
【００２３】
図７および図８を参照すると、内側カバー１１８は、ばね荷重式のボールまたはピンなどのような、戻り止め１４０を含むことが可能であり、戻り止め１４０は、インデキシングディスク１２０のインジケーターフィーチャー１５６に係合し、回転可能な部材１３２が適正な回転位置にあるという指示をユーザーに提供し、調節可能なダンベル１０２がベース１０４から除去されることを可能にする。戻り止め１４０は、内側カバー１１８からインデキシングディスク１２０に向けて延在するように付勢され得る。内側カバー１１８は、１対の戻り止め１４０を含むことが可能であり、１対の戻り止め１４０は、ハンドル１０６の長手方向軸線に対して概して平行に延在するように配向されている。戻り止め１４０は、一般的に、遠位位置または外側位置へ付勢されており、インデキシングディスク１２０に向き合う関係で、内側カバー１１８の遠位表面または外側表面の中に形成された開口部を通って部分的に延在することが可能である（図１９Ｃを参照）。戻り止め１４０は、スプリング（リーフおよびコイルなど）などのような付勢部材の遠位端部に係合させられ得、付勢部材は、内側カバー１１８の凹部の中に着座させられ得る。戻り止め１４０は、中央アパーチャー１３８の半径方向外向きに配設され得る。
【００２４】
図７、図８、および図１９Ａ〜１９Ｄを参照すると、内側カバー１１８は、ロッキングメカニズム１４２を含むことが可能であり、ロッキングメカニズム１４２は、ハンドル１０６の回転を許可または防止する。ロッキングメカニズム１４２は、ばね荷重式のボタンなどのようなロッキング部材１４４を含むことが可能である。ロッキング部材１４４は、突出部または突起部などのような干渉フィーチャー１４５を含むことが可能であり、干渉フィーチャー１４５は、ハンドル１０６またはシャフト１２７の長手方向軸線に対して平行または概して平行に、インデキシングディスク１２０に向けて、遠位方向に延在している。ロッキング部材１４４は、内側カバー１１８に対して垂直方向に移動可能であり得、また、移動の方向に対して横断方向に（例えば、直交して）配向される方向に、横方向に拘束され得る。
【００２５】
図１９Ａを見てみると、ロッキング部材１４４は、スプリングなどのようなロック付勢部材１４６によって、開口部１４８に向けて下向きに付勢され得、ロック付勢部材１４６は、垂直方向に配向されている軸線に沿って配置され得る。開口部１４８は、内側カバー１１８によって画定され得る。開口部１４８は、下向きに延在しており、ロッキング部材１４４の下側表面を露出させることが可能であり、ベース１０４の一部分がロッキング部材１４４に係合すること、および、ロック付勢部材１４６の付勢に対抗してロッキング部材１４４を垂直方向に変位させることを可能にする。ロッキング部材１４４は、内側カバー１１８によって画定されているキャビティー１５０の中に垂直方向に変位させられ得る。内側カバー１１８は、カバープレート１５２を含むことが可能であり、カバープレート１５２は、内側カバー１１８の内側表面または近位表面に除去可能に取り付けられており、ロッキング部材１４４およびロック付勢部材１４６へのアクセスを提供することが可能である。また、カバープレート１５２は、内側カバー１１８に対するロッキング部材１４４の垂直方向の変位の間に、ロッキング部材１４４がそれに沿ってスライドするための支承表面を提供することが可能である。
【００２６】
図３および図５を参照すると、インデキシングディスク１２０は、内側カバー１１８の直ぐ遠位または外側に、ハンドル１０６の上に装着され得る。図９は、インデキシングディスク１２０の内側表面または近位表面の等角図を図示しており、図１０は、インデキシングディスク１２０の外側表面または遠位表面の等角図を図示している。インデキシングディスク１２０は、ロックフィーチャー１５４、インジケーターフィーチャー１５６、ウェイト選択フィーチャー１５７、軸線方向に延在するスリーブ１５８、および、概して中央に位置付けされているアパーチャー１６０のうちの１つまたは複数を含むことが可能であり、概して中央に位置付けされているアパーチャー１６０は、スリーブ１５８によって画定されており、シャフト１２７の一部分を受け入れるように構成されている。ロックフィーチャー１５４、インジケーターフィーチャー１５６、スリーブ１５８、およびアパーチャー１５８は、インデキシングディスク１２０の上に同心円状に配置され得る。スリーブ１５８の近位端部は、係合フィーチャー１６２を含むことが可能であり、係合フィーチャー１６２は、回転可能なスリーブ１３２の係合フィーチャー１３４に係合するように構成されており、インデキシングディスク１２０が、内側カバー１１８およびウェイト１０８に対して、回転可能なスリーブ１３２と一体になって回転するようになっている。スリーブ１５８の遠位端部は、係合フィーチャー１６４を含むことが可能であり、係合フィーチャー１６４は、隣接するセパレーターディスク１２１に係合するように構成されており、セパレーターディスク１２１が、インデキシングディスク１２０と一体になって回転するようになっている。
【００２７】
ロックフィーチャー１５４は、インデキシングディスク１２０の周辺部の近位に位置決めされ得る。いくつかの実施形態では、ロックフィーチャー１５４は、インデキシングディスク１２０の周囲部１６１の周りに配置されている城郭風の歯であることが可能である。それぞれの歯は、ハンドル１０６の長手方向軸線および／またはシャフト１２７の長手方向軸線に対して平行なまたは概して平行な方向に、内側カバー１１８に向けて延在することが可能である。
【００２８】
図１０を参照すると、ウェイト選択フィーチャー１５７は、インデキシングディスク１２０の回転配向に応じて、ウェイト１０８に係合し、ウェイト１０８をハンドルアッセンブリ１１４に固定して接合させるように構成されるか、または、ウェイト１０８に係合せずに、それがベース１０４の中に残ったままにすることを可能にするように構成されるかのいずれかであることが可能である。ウェイト選択フィーチャー１５７は、インデキシングディスク１２０の遠位表面または外側表面から遠位に突出する１つまたは複数のフランジの形態をとることが可能である。フランジは、弓形の経路または湾曲した経路に沿って延在することが可能であり、弓形の経路または湾曲した経路は、インデキシングディスク１２０の中心を起点とする単一の半径によって画定され得る。フランジの数は、ウェイト選択フィーチャー１５７とウェイト１０８の係合に関して、ウェイト１０８に対するインデキシングディスク１２０の所望の回転位置に基づくことが可能である。１つのフランジが図１０に示されているが、２つ以上のフランジが使用されてもよい。ウェイト選択フィーチャー１５７は、インデキシングディスク１２０の周辺部とスリーブ１５８との間に半径方向に位置決めされ得る。更に、ロックフィーチャー１５４がインデキシングディスク１２０の周辺部の近位に位置決めされている実施形態では、ウェイト選択フィーチャー１５７は、ロックフィーチャー１５４とスリーブ１５８との間に半径方向に位置決めされ得る。
【００２９】
図９および図１０を参照すると、インデキシングディスク１２０は、インデキシングディスク１２０の周囲部１６１の上に配置されているインジケーターマーキング１６６を含むことが可能である。いくつかの実装形態では、インジケーターマーキング１６６は、インデキシングディスク１２０の周囲部１６１から外向きに突出する隆起した数として形成され得る。ロッキング特徴１５４が歯を含む実施形態では、インジケーターマーキング１６６は、歯と歯の間に角度的に位置決めされ得る。インジケーターマーキング１６６は、調節可能なダンベル１０２の上に選択されるウェイトの量の視覚的な指示をユーザーに提供することが可能である。図４および図１９Ｃを参照すると、マーキング１６６は、ブリッジ１２６の開口部またはウィンドウ１６８を通して個別に見ることができ、選択されているウェイトの量を示すことが可能である。
【００３０】
図９を参照すると、インデキシングディスク１２０のインジケーターフィーチャー１５６は、戻り止め凹部であることが可能である。ロックフィーチャー１５４が歯を含むときには、戻り止め凹部は、半径方向内向きに間隔を置いて配置され、歯から角度的にオフセットされ得る。戻り止め凹部は、戻り止め１４０の少なくとも一部分を受け入れることが可能である。戻り止め凹部は、インデキシングディスク１２０の上に角度的に配設され得、ウェイト１０８の１つまたは複数とそれぞれのインデキシングディスク１２０またはセレクターディスク１２２との所定のレベルの係合が起こるときに、戻り止め１４０が、戻り止め凹部に係合するようになっている。戻り止め１４０とインジケーターフィーチャー１５６との係合は、選択されているウェイト１０８がハンドルアッセンブリ１１４に十分に係合されているということ、および、ダンベル１０２はベース１０４からの除去の準備ができているということを示す、聞き取れるフィードバック、感触で分かるフィードバック、または、他の感覚のフィードバックをユーザーに提供することが可能である。
【００３１】
図１９Ａ〜図１９Ｄを参照すると、内側カバー１１８のロッキングメカニズム１４２は、ダンベル１０２のハンドルアッセンブリ１１４がベース１０４から除去されているときに、関連のロックフィーチャー１５４に係合するように付勢されており、インデキシングディスク１２０、ひいては、セパレーターディスク１２１およびセレクターディスク１２２が、シャフト１２７の長手方向軸線の周りに、および／または、ウェイト１０８に対して、回転することを防止することが可能である。ハンドルアッセンブリ１１４がベース１０４から除去されると、それぞれのロッキング部材１４４は、それぞれのインデキシングディスク１２０に干渉し、インデキシングディスク１２０の回転を防止する。この干渉は、それぞれのロッキング部材１４４がそれぞれのインデキシングディスク１２０の上のロックフィーチャー１５４に係合することによって起こることが可能である。ロックフィーチャー１５４が２つ以上の歯であり、干渉フィーチャー１４５が突出部である実装形態などのような、いくつかの実装形態では、ダンベル１０２がベース１０４から除去されると、ロック付勢部材１４６は、それぞれのロッキング部材１４４をロッキング位置へと付勢し、ロッキング位置では、それぞれのロッキング部材の突出部が、それぞれのインデキシングディスク１２０の隣接する歯と歯の間に配設され、それによって、ウェイト１０８に対するインデキシングディスク１２０の回転、ひいては、セパレーターディスクおよびセレクターディスク１２２の回転を防止する。
【００３２】
図１９Ｂ〜図１９Ｄを参照すると、ダンベル１０２がベース１０４の中に設置されているときには、ロッキングメカニズム１４２は、解除された位置またはアンロックされた位置へと移動させられ得る。ベース１０４の上にダンベル１０２を設置すると、ベース１０４のロックフィーチャー１１２は、ロッキングメカニズム１４２をインデキシングディスク１２０のロックフィーチャー１５４から解除し、シャフト１２７の長手方向軸線の周りのおよび／またはウェイト１０８に対するインデキシングディスク１２０の回転を可能にする。いくつかの実施形態では、ベース１０４のロックフィーチャー１１２は、内側カバー１１８の開口部１４８を通って上向きに延在することが可能であり、ロッキングメカニズム１４２を上向きに駆動することが可能である。ロックフィーチャー１１２は、ロッキング部材１４４を十分な距離だけ上向きに移動させ、インデキシングディスク１２０のロックフィーチャー１５４（例えば、歯など）の回転経路から干渉フィーチャー１４５（例えば、突出部または突起部など）を変位させることが可能であり、インデキシングディスク１２０およびセレクターディスク１２２が回され、調節可能なダンベル１０２のウェイトを調節することができるようになっている。したがって、ダンベル１０２がベース１０４の中に着座させられているときには、調節可能なダンベル１０２のウェイトは、ハンドル１０６の回転可能な部材１３２を回すことによって調節され、ウェイト１０８をインデキシングディスク１２０およびセレクターディスク１２２に選択的に係合または解除させることが可能である。
【００３３】
ウェイト１０８が、インデキシングディスク１２０およびセレクターディスク１２２との所定のレベルの係合または解除を有していない場合には、調節可能なダンベル１０２は、ベース１０４から除去されることができない。ベースのロックフィーチャー１１２がインデキシングディスクのロックフィーチャー１５４に係合しているときには、ベース１０４からの調節可能なダンベル１０２の除去が防止され得、ロックフィーチャー１１２、１５４は、インデキシングディスクの回転配向に基づいて係合される。このロッキングシステムのいくつかの実装形態では、それぞれのインデキシングディスク１２０に関するロックフィーチャー１５４は、ダンベル１０２がベース１０４の中に設置されているときに、それぞれのロックフィーチャー１１２の上側部分１６７の下を回転することが可能である。ロックフィーチャー１５４が歯である実施形態に関して、歯は、円周方向に十分に間隔を離して配置され得、インデキシングディスク１２０およびセレクターディスク１２２がウェイト１０８に対して所定の回転位置に位置決めされているときに、ロックフィーチャー１１２の上側部分１６７が隣接する歯と歯との間を通ることを可能にし、ベース１０４からのダンベル１０２の除去を可能にする。追加的に、歯は、円周方向に十分に間隔を離して配置され得、インデキシングディスク１２０およびセレクターディスク１２２がウェイト１０８に対して所定の回転位置に位置決めされていないときに、ロックフィーチャー１１２の上側部分１６７が隣接する歯１５４と歯１５４との間を通ることを阻止し、ベース１０４からのダンベル１０２の除去を防止し、したがって、ダンベル１０２をベース１０４に効果的にロックする。ウェイト１０８に対するインデキシングディスク１２０およびセレクターディスク１２２の相対回転位置に基づいて、ハンドルアッセンブリ１１４に固定して接合されることが意図される任意のウェイト１０８が、そのそれぞれのインデキシングディスク１２０またはセレクターディスク１２２に十分に係合されるように、所定の回転位置は選択され得る。
【００３４】
ウェイト１０８が、所望の通りに、インデキシングディスク１２０およびセレクターディスク１２２に係合されていない時、または、インデキシングディスク１２０およびセレクターディスク１２２から解除されていないときには、インデキシングディスク１２０の歯は、ロックフィーチャー１１２の上側部分１６７に係合し、ロックフィーチャー１１２が内側カバー１１８の開口部１４８を通って出ていくことを防止することが可能であり、したがって、ダンベル１０２をベース１０４にロックする。インデキシングディスク１２０およびセレクターディスク１２２が回転方向に適正に整列させられると、ロックフィーチャー１１２の上側部分１６７が、隣接する歯１５４と歯１５４との間を通ることが可能であり、ダンベル１０２がベース１０４から除去され得る。ベース１０４からのダンベル１０２の除去の間に、ロック付勢部材１４６は、ロッキング部材１４４を下向きに付勢することが可能であり、干渉フィーチャー１４５が、インデキシングディスクのロックフィーチャー１５４と相互作用するようになっており、インデキシングディスク１２０およびセレクターディスク１２２が内側カバー１１８およびウェイト１０８に対して回転することを防止する。したがって、ベース１０４から除去されている時、ダンベル１０２が、ウェイトの異なる組み合わせを選択するためにベース１０４の上に再位置決めされるまで、ダンベル１０２のウェイトは固定され得る。
【００３５】
ダンベル１０２がベース１０４の中へセットされるときに、ロックフィーチャー１１２は、ロッキング部材１４４に係合し、ロッキング部材１４４をインデキシングディスク１２０から解除することが可能である。次いで、ハンドル１０６が回転させられ、インデキシングディスク１２０およびセレクターディスク１２２を回転させ、所望の数のウェイト１０８を選択することが可能である。戻り止め１４０は、ダンベル１０２が回転方向に固定された場所にあって、ウェイト１０８を選択するための場所と場所の間にはないときを、ユーザーが識別することを助けることが可能である。インデキシングディスク１２０の上のマーキング１６６は、ブリッジ１２６のウィンドウ１６８を通して見ることができ、所望のウェイトが選択されているということを示すことが可能である（図４および図１９Ｃを参照）。ウェイト選択場所同士の間にある時、インデキシングディスク１２０の上のロックフィーチャー１５４は、ベース１０４の上のロックフィーチャー１１２に係合し、ダンベル１０２がベース１０４から除去されることを防止することが可能である。インデキシングディスク１２０が適正な回転配向になっているときには、ベースのロックフィーチャー１１２は、インデキシングディスクのロックフィーチャー１５４に係合しておらず、したがって、ダンベル１０２がベース１０４から除去されることを可能にする。
【００３６】
ダンベル１０２がベース１０４から除去される時、ベースのロックフィーチャー１１２は、ロッキング部材１４４に係合することを止め、したがって、ロッキング部材１４４がロッキング位置へと付勢されることを可能にし、ロッキング位置では、干渉フィーチャー１４５がインデキシングディスクのロックフィーチャー１５４と相互作用しており、インデキシングディスク１２０がウェイト１０８に対して回転しないように維持している。セレクターディスク１２２は、インデキシングディスク１２０の回転にキーで固定され得るので、インデキシングディスク１２０のロックされる性質は、セレクターディスク１２２の独立した回転を防止することが可能である。したがって、ダンベル１０２がベース１０４から除去されているときに、インデキシングディスク１２０およびセレクターディスク１２２は回転可能ではなく、ウェイト選択を変化させず、または、ダンベル１０２の上のウェイト１０８が取り除かれることを引き起こさない。
【００３７】
図５、図１１、および図１２を参照すると、セパレーターディスク１２１は、インデキシングディスク１２０の遠位または外側において、シャフト１２７の上に装着され得る。セパレーターディスク１２１は、シャフト１２７に沿って位置決めされ得、ダンベル１０２がベース１０４の中に置かれているときに、隣接するウェイト１０８とウェイト１０８との間に嵌合するようになっている。セパレーターディスク１２１は、ダンベル１０２がベース１０４から除去されるときに、セパレーターディスク１２１に沿って位置決めされており、かつ、ダンベル１０２に取り付けられているウェイト１０８の軸線方向の移動を防止するか、または実質的に防止することが可能である。図１１は、セパレーターディスク１２１の内側表面または近位表面の等角図を図示しており、図１２は、セパレーターディスク１２１の外側表面または遠位表面の等角図を図示している。１対のセパレーターディスク１２１が図５に示されているが、ダンベル１０２は、ダンベルの特定の実装形態に応じて、１対よりも多くのまたは１対よりも少ないセパレーターディスク１２１を含むことが可能である。例えば、ダンベル１０２は、ダンベル１０２がより重いウェイト能力を有する実装形態に関して、追加的なセパレーターディスク１２１の対を含むことが可能であり、その逆もまた同様である。
【００３８】
セパレーターディスク１２１は、軸線方向に延在するスリーブ１７０を含むことが可能であり、軸線方向に延在するスリーブ１７０は、概して中央に位置付けされているアパーチャー１７２を画定することが可能であり、アパーチャー１７２は、それを通してシャフト１２７を受け入れるように構成されている。スリーブ１７０の近位端部は、係合フィーチャー１７４を含むことが可能であり、係合フィーチャー１７４は、インデキシングディスク１２０の係合フィーチャー１６４に係合するように構成されており、セパレーターディスク１２１が、内側カバー１１８およびウェイト１０８に対して、インデキシングディスク１２０と一体になって回転するようになっている。スリーブ１５８、１７０は、それぞれ、インデキシングディスク１２０の外側表面から遠位に延在し、また、セパレーターディスク１２１の内側表面から近位に延在し、セパレーターディスク１２１をインデキシングディスク１２０から軸線方向に分離することが可能であり、また、セパレーターディスク１２１とインデキシングディスク１２０との間にスペースを形成することが可能であり、スペースは、ウェイト１０８の１つまたは複数を受け入れるように構成されている。スリーブ１７０の遠位端部は、係合フィーチャー１７６を含むことが可能であり、係合フィーチャー１７６は、セレクターディスク１２２に係合するように構成されており、セパレーターディスク１２１が、選択ディスク１２２と一体になって回転するようになっている。
【００３９】
図５および図１３〜図１６を参照すると、セレクターディスク１２２は、セパレーターディスク１２１の遠位または外側において、シャフト１２７の上に装着され得る。セレクターディスク１２２は、シャフト１２７に沿って位置決めされ得、ダンベル１０２がベース１０４の中に置かれているときに、隣接するウェイト１０８とウェイト１０８との間に嵌合するようになっている。セレクターディスク１２２は、セレクターディスク１２２の両側に沿って位置決めされているウェイト１０８に選択的に係合することが可能である。複数のウェイト１０８に係合することによって、セレクターディスク１２２は、ダンベル１０２の全長を短くすることが可能である。２対のセレクターディスク１２２が図５に示されているが、ダンベル１０２は、ダンベルの特定の実装形態に応じて、２対よりも多くのまたは２対よりも少ないセレクターディスク１２２を含むことが可能である。例えば、ダンベル１０２は、ダンベル１０２がより重いウェイト能力を有する実装形態に関して、追加的なセレクターディスク１２２の対を含むことが可能であり、その逆もまた同様である。
【００４０】
図１３は、第１のセレクターディスク１２２ａの内側表面または近位表面の等角図を図示しており、図１４は、第１のセレクターディスク１２２ａの外側表面または遠位表面の等角図を図示している。第１のセレクターディスク１２２ａは、軸線方向に延在するスリーブ１７８を含むことが可能であり、軸線方向に延在するスリーブ１７８は、概して中央に位置付けされているアパーチャー１８０を画定することが可能であり、アパーチャー１８０は、それを通してシャフト１２７の一部分を受け入れるように構成されている。スリーブ１７８の近位端部は、係合フィーチャー１８２を含むことが可能であり、係合フィーチャー１８２は、セパレーターディスク１２１の係合フィーチャー１７６に係合するように構成されており、第１のセレクターディスク１２２ａが、内側カバー１１８およびウェイト１０８に対して、セパレーターディスク１２１と一体になって回転するようになっている。スリーブ１７０、１７８は、それぞれ、セパレーターディスク１２１の外側表面から遠位に延在し、また、第１のセレクターディスク１２２ａの内側表面から近位に延在し、第１のセレクターディスク１２２ａをセパレーターディスク１２１から軸線方向に分離することが可能であり、また、第１のセレクターディスク１２２ａとセパレーターディスク１２１との間にスペースを形成することが可能であり、スペースは、ウェイト１０８の１つまたは複数を受け入れるように構成されている。スリーブ１７８の遠位端部は、係合フィーチャー１８４を含むことが可能であり、係合フィーチャー１８４は、第２のセレクターディスク１２２ｂに係合するように構成されており、第２のセレクターディスク１２２ｂが、第１のセレクターディスク１２２ａと一体になって回転するようになっている。
【００４１】
引き続き図１３および図１４を参照すると、第１のセレクターディスク１２２ａは、第１および第２のウェイト選択フィーチャー１８６、１９０を含むことが可能であり、第１および第２のウェイト選択フィーチャー１８６、１９０は、それぞれ、第１のセレクターディスク１２２ａの近位面および遠位面から突出している。第１のウェイト選択フィーチャー１８６は、第１のセレクターディスク１２２ａの内側表面または近位表面１８８から近位に突出し得る１つまたは複数のフランジであることが可能である。第２のウェイト選択フィーチャー１９０は、第１のセレクターディスク１２２ａの遠位表面または外側表面１９２から遠位に突出し得る１つまたは複数のフランジであることが可能である。第１および第２のウェイト選択フィーチャー１８６、１９０の両方に関するフランジは、弓形の経路または湾曲した経路に沿って延在することが可能であり、弓形の経路または湾曲した経路は、第１のセレクターディスク１２２ａの中心を起点とする単一の半径によって画定され得る。第１および第２のウェイト選択フィーチャー１８６、１９０は、それぞれ、第１のセレクターディスク１２２ａの内側表面１８８および外側表面１９２の周辺部の近位にそれぞれ配設され得る。
【００４２】
第１および第２のウェイト選択フィーチャー１８６、１９０は、第１のセレクターディスク１２２ａの回転配向に応じて、ウェイト１０８に係合し、ウェイト１０８をハンドルアッセンブリ１１４に固定して接合させるように構成されるか、または、ウェイト１０８に係合せずに、それがベース１０４の中に残ったままにすることを可能にするように構成されるかのいずれかであることが可能である。第１のウェイト選択フィーチャー１８６は、第１のセレクターディスク１２２ａと近位に隣接するセパレーターディスク１２１との間のスペースの中に受け入れられているウェイト１０８に選択的に係合するように構成され得、第２のウェイト選択フィーチャー１９０は、第１のセレクターディスク１２２ａと遠位に隣接する第２のセレクターディスクとの間のスペースの中に受け入れられているウェイト１０８に選択的に係合するように構成され得る。第１および第２のウェイト選択フィーチャー１８６、１９０に関してフランジを利用するときには、第１のセレクターディスク１２２ａの遠位側のフランジのいくつかは、第１のセレクターディスク１２２ａの近位側のフランジに角度的に重なることが可能であり、いくつかの回転配向では、第１のセレクターディスク１２２ａが、第１のセレクターディスク１２２ａの両側の面１８８、１９２に沿って配設されているウェイト１０８に同時に係合することができるようになっている。更に、第１のセレクターディスク１２２ａの遠位側のフランジの少なくともいくつかの部分は、第１のセレクターディスク１２２ａの近位側のフランジに角度的に重なっていなくてもよく、または、その逆もまた同様であり、いくつかの回転配向では、第１のセレクターディスク１２２ａが、ディスク１２２ａの両側の面１８８、１９２に沿って配設されているウェイト１０８のうちの１つだけに係合するようになっている。更に、フランジは、第１のセレクターディスク１２２ａのそれぞれの側に位置決めされ得、第１のセレクターディスク１２２ａのいくつかの回転配向に関して、第１のセレクターディスク１２２ａのいずれかの側のウェイトが係合されないようになっている。
【００４３】
図１５は、第２のセレクターディスク１２２ｂの内側表面または近位表面の等角図を図示しており、図１６は、第２のセレクターディスク１２２ｂの外側表面または遠位表面の等角図を図示している。第２のセレクターディスク１２２ｂは、軸線方向に延在するスリーブ１９４を含むことが可能であり、軸線方向に延在するスリーブ１９４は、概して中央に位置付けされているアパーチャー１９６を画定することが可能であり、アパーチャー１９６は、シャフト１２７の一部分を受け入れるように構成されている。スリーブ１９４の近位端部は、係合フィーチャー１９８を含むことが可能であり、係合フィーチャー１９８は、第１のセレクターディスク１２２ａの係合フィーチャー１８４に係合するように構成されており、第２のセレクターディスク１２２ｂが、内側カバー１１８およびウェイト１０８に対して、第１のセレクターディスク１２２ａと一体になって回転するようになっている。スリーブ１７８、１９４は、それぞれ、第１のセレクターディスク１２２ａの外側表面１９２から遠位に延在し、また、第２のセレクターディスク１２２ｂの内側表面２００から近位に延在し、第２のセレクターディスク１２２ｂを第１のセレクターディスク１２２ａから軸線方向に分離することが可能であり、また、第２のセレクターディスク１２２ｂと第１のセレクターディスク１２２ａとの間にスペースを形成することが可能であり、スペースは、ウェイト１０８の１つまたは複数を受け入れるように構成されている。スリーブ１９４の遠位端部は、当接フィーチャー２０２を含むことが可能であり、当接フィーチャー２０２は、ハンドルアッセンブリ１１４の保持フィーチャー１３６に当接するように構成されている（図５および図６を参照）。
【００４４】
図１５を参照すると、第２のセレクターディスク１２２ｂは、ディスク１２２ｂの近位面２００から軸線方向に突出するウェイト当接フィーチャー２０４を含むことが可能である。ウェイト当接フィーチャー２０４は、ディスク１２２ｂの内側表面または近位表面２００から近位に突出する環状のリムであることが可能であり、それは、スリーブ１９４の半径方向外向きに間隔を置いて配置されており、かつ、ディスク１２２ｂの近位面２００の周辺部の周りに連続的に延在している。ウェイト当接フィーチャー２０４は、第１のセレクターディスク１２２ａと第２のセレクターディスク１２２ｂとの間に位置決めされているウェイト１０８の遠位表面に当接し、ウェイトの横方向の移動を防止するか、または実質的に防止することが可能である。いくつかの実装形態では、セパレーターディスクは、第１のセレクターディスク１２２ａと第２のセレクターディスク１２２ｂとの間に位置決めされ得、そのケースでは、ウェイト当接フィーチャー２０４は、ウェイト選択フィーチャーと交換され得、ウェイト選択フィーチャーは、第１のセレクターディスク１２２ａに関するウェイト選択フィーチャー１８６、１９０と同様であることが可能であり、また、それは、セパレーターディスクと第２のセレクターディスク１２２ｂとの間に位置決めされているウェイトに選択的に係合するために使用され得る。
【００４５】
図１６を参照すると、第２のセレクターディスク１２２ｂは、ウェイト選択フィーチャー２０８を含むことが可能であり、ウェイト選択フィーチャー２０８は、第２のセレクターディスク１２２ｂの遠位面２０６の上に位置決めされており、ディスク１２２ｂの回転配向に応じて、第２のセレクターディスク１２２ｂと遠位に隣接する端部キャップ１２４との間のスペースの中に受け入れられているウェイト１０８に選択的に係合する。ウェイト選択フィーチャー２０８は、第１のセレクターディスク１２２ａのウェイト選択フィーチャー１８６、１９０と同様であることが可能である。
【００４６】
図５、図６、および図９〜図１６を参照すると、回転可能な部材１３２の回転は、ウェイト１０８に対するインデキシングディスク１２０、セパレーターディスク１２１、およびセレクターディスク１２２の回転を引き起こすことが可能であり、ウェイト１０８は、隣接するインデキシングディスク１２０、セパレーターディスク１２１、およびセレクターディスク１２２の間に位置付けされ得る。ウェイト１０８は、ウェイト１０８に対するディスク１２０、１２２の角度配向に応じて、インデキシングディスク１２０およびセレクターディスク１２２のそれぞれのウェイト選択フィーチャー１５７、１８６、１９０、２０８によって選択的に係合され得る。インデキシングディスク１２０、セパレーターディスク１２１、およびセレクターディスク１２２のスリーブ１５８、１７０、１７８、１９４の係合フィーチャーは、キーが付けられており、ディスク１２０、１２１、１２２が、シャフト１２７に沿って唯一の特定の順序に、かつ、互いに対して唯一の特定の回転配向に組み立てられ得るようになっている。いくつかの実装形態では、ディスク１２０、１２１、１２２の係合フィーチャー１６２、１６４、１７４、１７６、１８２、１８４、１９８は、対応するタブおよび受け入れる窪みを含み、それらはキーが付けられており、隣接するディスク１２０、１２１、１２２が、唯一の回転配向に相互接続され得るようになっている。例えば、タブおよび窪みのいくつかは、他のタブおよび窪みよりも幅広くなっていることが可能であり、ディスク１２０、１２１、１２２が、特定の配向にだけ接続され得るようになっている。この配向特徴は、インデキシングディスク１２０のマーキング１６６がダンベル１０２のウェイト選択にマッチしていることを確保しながら、ダンベル１０２の組み立てを促進させることが可能である。
【００４７】
図３〜図５に戻って参照すると、端部キャップ１２４が、セレクターディスク１２２の遠位または外側において、シャフト１２７の上に装着され得る。端部キャップ１２４は、ブリッジ１２６にしっかりと固着され得、ブリッジ１２６は、内側カバー１１８にしっかりと固着され得る。そうであるので、端部キャップ１２４は、ダンベルウェイトの選択の間に、インデキシングディスク１２０、セパレーターディスク１２１、およびセレクターディスク１２２の回転の間に静止したまままであることが可能である。換言すれば、インデキシングディスク１２０、セパレーターディスク１２１、およびセレクターディスク１２２は、端部キャップ１２４に対して回転することが可能である。
【００４８】
図１７は、端部キャップ１２４の内側表面または近位表面２１０の等角図を図示しており、図１８は、端部キャップ１２４の外側表面または遠位表面２１２の等角図を図示している。端部キャップ１２４は、概して中央に位置付けされているアパーチャー２１４を画定することが可能であり、アパーチャー２１４は、シャフト１２７の端部部分１３０を受け入れるように構成されている。アパーチャー２１４は、内向きに延在する壁部２１６によって少なくとも部分的に画定され得、内向きに延在する壁部２１６は、軸線方向に延在する非円形表面２１８を画定している。非円形表面２１８は、アパーチャー２１４の少なくとも一部分を画定することが可能であり、したがって、アパーチャー２１４の少なくとも一部分は、非円形になっていることが可能である。アパーチャー２１４の非円形部分は、それを通してシャフト１２７の対応する形状の部分を受け入れることが可能であり、シャフト１２７の対応する形状の部分は、シャフト１２７の端部の近位に位置付けされており、更に、保持フィーチャー１３６（図６を参照）の遠位に配設されており、シャフト１２７に対する端部キャップ１２４の回転を防止するか、または実質的に防止することが可能である。締結具（図５を参照）が、アパーチャー２１４を通して部分的に挿入され、ねじ、接着剤、圧入、音波溶接、締結具を他のパーツに接合させる任意の他の公知の方式、または、それらの任意の組み合わせによって、シャフト１２７の端部部分１３０に固着され、シャフト１２７およびディスク１２０、１２１、１２２に対する端部キャップ１２４の軸線方向の変位を防止するか、または実質的に防止することが可能である。
【００４９】
図１７を参照すると、ブラケット２２２が、端部キャップ１２４の近位表面２１０に取り付けられており、端部キャップ１２４の近位表面２１０から近位に延在することが可能である。ブラケット２２２は、端部キャップ１２４をブリッジ１２６に取り付けるように構成され得る。ブラケット２２２は、ブラケット２２２、ひいては、端部キャップ１２４をブリッジ１２６に取り付ける締結具を受け入れるための１つまたは複数の貫通孔を画定することが可能である。ブラケット２２２は、概して中央に位置付けされているアパーチャー２１４の上方に位置付けされ得る。
【００５０】
図１８を参照すると、ウェイト取り付けフィーチャー２２４が、端部キャップ１２４の遠位表面２１２から軸線方向に延在することが可能である。ウェイト取り付けフィーチャー２２４は、端面２２６を含むことが可能であり、端面２２６は、両側の横方向の側壁部２２８によって端部キャップ１２４の遠位表面２１２から遠位にオフセットされ得る。端面２２６は、平面的であることが可能であり、かつ、端部キャップ１２４の遠位表面２１２に対して平行に配向され得る。側壁部２２８がウェイト取り付けフィーチャー２２４の上部壁部２３０からウェイト取り付けフィーチャー２２４の底部壁部２３２へ下向きに延在するのに従って、側壁部２２８は、互いに向けてテーパーが付けられ得る。追加的に、側壁部２２８がウェイト取り付けフィーチャー２２４の端面２２６から端部キャップ１２４の遠位表面２１２へ近位に延在するのに従って、側壁部２２８は、互いに向けてテーパーが付けられ得る。アパーチャー２１４は、ウェイト取り付けフィーチャー２２４の中央領域を通って延在することが可能である。
【００５１】
図３〜図５を参照すると、ブリッジ１２６は、端部キャップ１２４を内側カバー１１８に取り付けている。ブリッジ１２６の外側端部は、端部キャップ１２４に取り付けられており、ブリッジ１２６の内側端部は、内側カバー１１８に取り付けられている。ブリッジ１２６の中間部分は、端部キャップ１２４と内側カバー１１８との間で軸線方向の距離に広がっている。ブリッジ１２６は、下向きに延在するウィング２３４を含むことが可能であり、下向きに延在するウィング２３４は、セパレーターディスク１２１およびセレクターディスク１２２の上方に位置決めされ得、ディスク１２０、１２１、１２２の回転に干渉しないようになっている。ウィング２３４は、セパレーターディスク１２１およびセレクターディスク１２２に概して軸線方向に整列させられ得る。ウェイト１０８の対向する内部側壁部、および、ウェイト１０８の両側の面は、対向する内部壁部がブリッジ１２６に当接した状態で、および、両側の面がウィング２３４に当接した状態で、隣接するウィングとウィングとの間に位置決めされ得る。ブリッジ１２６に対してウェイト１０８の内部側壁部が当接することは、ダンベル１０２の使用の間にウェイトがシャフト１２７の周りに回転することを防止し、ウィング２３４に対してウェイト１０８の両側の面が当接することは、ダンベル１０２の使用の間に、ウェイト１０８がシャフト１２７に沿ってスライドすること、または、シャフト１２７の周りにロックすることを防止する。
【００５２】
調節可能なダンベルシステム１００の例示的なウェイト１０８が、図２０〜図２７に図示されている。図２０および図２１は、それぞれ、第１のウェイト１０８ａの近位等角図および遠位等角図である。図２２および図２３は、それぞれ、第２のウェイト１０８ｂの近位等角図および遠位等角図である。図２４および図２５は、それぞれ、第３のウェイト１０８ｃの近位等角図および遠位等角図である。図２６および図２７は、それぞれ、第４のウェイト１０８ｄの近位等角図および遠位等角図である。ダンベルシステム１００は、ダンベルシステムの所望のウェイト能力に応じて、より多くのまたはより少ないウェイトを含むことが可能である。
【００５３】
図２０〜図２７を参照すると、ウェイト１０８ａ〜１０８ｄは、概して長方形の形状を有することが可能である。それぞれのウェイト１０８ａ〜１０８ｄは、インデキシングディスク１２０、セパレーターディスク１２１、またはセレクターディスク１２２のうちの１つのスリーブを受け入れるためのチャネルまたはスロット２３６を形成することが可能である。チャネル２３６は、それぞれのウェイト１０８ａ〜１０８ｄの周辺部を通って延在することが可能であり、また、それぞれのウェイトの長手方向の中心線の周りに配設されている半円形円弧の中に終端することが可能である。チャネル２３６は、半円形円弧の直径に等しい一定の幅を有することが可能である。チャネル２３６は、ディスク１２０、１２１、１２２のスリーブがチャネル２３６の中で回転することを可能にするように、および、摩擦を通して偶然にウェイトを移動させることだけを可能にするように、サイズ決めされ得る。ブリッジ１２６は、ウェイト１０８のチャネル２３６を通して長手方向に延在し、ウェイト選択およびエクササイズタイプの使用の間に、ウェイトが内側カバー１１８および端部キャップ１２４に対して回転することを防止することが可能である。追加的にまたは代替的に、ブリッジ１２６のウィング２３４は、ウェイト１０８〜１０８ｄの対向する内部側壁部２３７の中に当接して着座させられており、ウェイト選択およびエクササイズタイプの使用の間に、内側カバー１１８および端部キャップ１２４に対して回転することを防止することが可能である。
【００５４】
引き続き図２０〜図２７を参照すると、それぞれのウェイト１０８ａ〜１０８ｄは、タブなどのような係合フィーチャー２３８を含むことが可能であり、係合フィーチャー２３８は、インデキシングディスク１２０またはセレクターディスク１２２のうちの１つのそれぞれのウェイト選択フィーチャー１５７、１８６、１９０、２０８に係合するように構成されている。ダンベル１０２がベース１０４の中に設置されているときに、第１のウェイト１０８ａ（図２０および図２１を参照）は、インデキシングディスク１２０とセパレーターディスク１２１との間に位置決めされ得る（図５を参照）。インデキシングディスク１２０のウェイト選択フィーチャー１５７（図１０を参照）は、ウェイト１０８ａの係合フィーチャー２３８の半径方向外向きに間隔を置いて配置され得る（図２０を参照）。ウェイト選択フィーチャー１５７がウェイト１０８ａの係合フィーチャー２３８の下に位置決めされている場合のインデキシングディスク１２０の回転配向において、ウェイト１０８ａは、ダンベルハンドルアッセンブリ１１４に固定して接合され、または、そうでなければ固着され得る。この固着された位置では、インデキシングディスク１２０のスリーブ１５８、直ぐ遠位のセパレーターディスク１２１のスリーブ１７０、または、その両方と組み合わせられたインデキシングディスク１２０のウェイト選択フィーチャー１５７は、インデキシングディスク１２０に対する第１のウェイト１０８ａの垂直方向の運動を制限することが可能である。ブリッジ１２６は、インデキシングディスク１２０に対するウェイト１０８ａの横方向の運動および回転運動を制限することが可能である。インデキシングディスク１２０およびセパレーターディスク１２１のそれぞれの対向する遠位表面および近位表面、ならびに／または、ブリッジ１２６のウィング２３４は、インデキシングディスク１２０に対するウェイト１０８ａの軸線方向の運動を制限することが可能である。そうであるので、インデキシングディスク１２０のウェイト選択フィーチャー１５７が係合フィーチャー２３８の下に位置決めされているときには、第１のウェイト１０８ａは、軸線方向に、横方向に、垂直方向に、および回転方向に、ダンベル１０２に固着され得る。ウェイト選択フィーチャー１５７が第１のウェイト１０８ａの係合フィーチャー２３８の下に位置決めされていない場合のインデキシングディスク１２０の回転配向において、ウェイト１０８ａは、ダンベル１０２がベース１０４から除去されるときに、ベース１０４の位置決め壁部１１０によって支持されてベース１０４の中に残っているままであることが可能である。
【００５５】
ダンベル１０２がベース１０４の中に設置されているときには、第２のウェイト１０８ｂ（図２２および図２３を参照）は、セパレーターディスク１２１と第１のセレクターディスク１２２ａとの間に位置決めされ得る（図５を参照）。第１のセレクターディスク１２２ａの第１のウェイト選択フィーチャー１８６（図１３を参照）は、第２のウェイト１０８ｂの係合フィーチャー２３８の半径方向外向きに間隔を置いて配置され、第２のウェイト１０８ｂの係合フィーチャー２３８に重なることが可能である（図２３を参照）。第１のウェイト選択フィーチャー１８６がウェイト１０８ｂの係合フィーチャー２３８の下に位置決めされている場合の第１のセレクターディスク１２２ａの回転配向において、ウェイト１０８ｂは、ダンベル１０２の上に保持され得る。この保持された位置では、第１のセレクターディスク１２２ａのスリーブ１７８、直ぐ近位のセパレーターディスク１２１のスリーブ１７０、または、その両方と組み合わせられた第１のセレクターディスク１２２ａの第１のウェイト選択フィーチャー１８６は、インデキシングディスク１２０に対する第２のウェイト１０８ｂの垂直方向の運動を制限することが可能である。ブリッジ１２６は、第１のセレクターディスク１２２ａに対するウェイト１０８ｂの横方向の運動および回転運動を制限することが可能である。第１のセレクターディスク１２２ａおよびセパレーターディスク１２１のそれぞれの対向する近位表面および遠位表面、ならびに／または、ブリッジ１２６のウィング２３４は、第１のセレクターディスク１２２ａに対するウェイト１０８ｂの軸線方向の、横方向の運動、および回転運動を制限することが可能である。そうであるので、第１のセレクターディスク１２２ａの第１のウェイト選択フィーチャー１８６が係合フィーチャー２３８の下に位置決めされているときには、第２のウェイト１０８ｂは、軸線方向に、横方向に、垂直方向に、および回転方向に、ダンベル１０２に固着され得る。第１のウェイト選択フィーチャー１８６が第２のウェイト１０８ｂの係合フィーチャー２３８の下に位置決めされていない場合の第１のセレクターディスク１２２ａの回転配向において、ウェイト１０８ｂは、ダンベル１０２がベース１０４から除去されるときに、ベース１０４の位置決め壁部１１０によって支持されてベース１０４の中に残っているままであることが可能である。
【００５６】
ダンベル１０２がベース１０４の中に設置されているときには、第３のウェイト１０８ｃ（図２４および図２５を参照）は、第１のセレクターディスク１２２ａと第２のセレクターディスク１２２ｂとの間に位置決めされ得る（図５を参照）。第１のセレクターディスク１２２ａの第２のウェイト選択フィーチャー１９０（図１４を参照）は、第３のウェイト１０８ｃの係合フィーチャー２３８の半径方向外向きに間隔を置いて配置され、第３のウェイト１０８ｃの係合フィーチャー２３８に重なることが可能である（図２４を参照）。第２のウェイト選択フィーチャー１９０が第３のウェイト１０８ｃの係合フィーチャー２３８の下に位置決めされている場合の第１のセレクターディスク１２２ａの回転配向において、ウェイト１０８ｃは、ダンベル１０２の上に保持され得る。この保持された位置では、第１のセレクターディスク１２２ａのスリーブ１７８、第２のセレクターディスク１２２ｂのスリーブ１９４、または、その両方と組み合わせられた第１のセレクターディスク１２２ａの第２のウェイト選択フィーチャー１９０は、第１のセレクターディスク１２２ａに対する第３のウェイト１０８ｃの垂直方向の運動を制限することが可能である。ブリッジ１２６は、第１のセレクターディスク１２２ａに対するウェイト１０８ｃの回転運動および横方向の運動を制限することが可能である。第１および第２のセレクターディスク１２２ａ、１２２ｂのそれぞれの対向する遠位表面１９２および環状のリム２０４、ならびに／または、ブリッジ１２６のウィング２３４は、第１のセレクターディスク１２２ａに対するウェイト１０８ｃの軸線方向の運動を制限することが可能である。そうであるので、第１のセレクターディスク１２２ａの第２のウェイト選択フィーチャー１９０が係合フィーチャー２３８の下に位置決めされているときには、第３のウェイト１０８ｃは、軸線方向に、垂直方向に、横方向に、および回転方向に、ダンベル１０２に固着され得る。第２のウェイト選択フィーチャー１９０が第３のウェイト１０８ｃの係合フィーチャー２３８の下に位置決めされていない場合の第１のセレクターディスク１２２ａの回転配向において、ウェイト１０８ｃは、ダンベル１０２がベース１０４から除去されるときに、ベース１０４の位置決め壁部１１０によって支持されてベース１０４の中に残っているままであることが可能である。
【００５７】
ダンベル１０２がベース１０４の中に設置されているときには、第４のウェイト１０８ｄ（図２６および図２７を参照）は、第２のセレクターディスク１２２ｂと端部キャップ１２４との間に位置決めされ得る。第２のセレクターディスク１２２ｂのウェイト選択フィーチャー２０８（図１６を参照）は、第４のウェイト１０８ｄの係合フィーチャー２３８の半径方向外向きに間隔を置いて配置され、第４のウェイト１０８ｄの係合フィーチャー２３８に重なることが可能である（図２７を参照）。ウェイト選択フィーチャー２０８が第４のウェイト１０８ｄの係合フィーチャー２３８の下に位置決めされている場合の第２のセレクターディスク１２２ｂの回転配向において、ウェイト１０８ｄは、ダンベル１０２の上に保持され得る。この保持された位置では、第２のセレクターディスク１２２ｂのスリーブ１９４と組み合わせられた第２のセレクターディスク１２２ｂのウェイト選択フィーチャー２０８は、第２のセレクターディスク１２２ｂに対する第４のウェイト１０８ｄの垂直方向の運動を制限することが可能である。ブリッジ１２６は、第２のセレクターディスク１２２ｂに対するウェイト１０８ｄの横方向の運動および回転運動を制限することが可能である。第２のセレクターディスク１２２ｂおよび端部キャップ１２４のそれぞれの対向する遠位表面および近位表面、ならびに／または、ブリッジ１２６のウィング２３４は、第２のセレクターディスク１２２ｂに対するウェイト１０８ｄの軸線方向の運動を制限することが可能である。そうであるので、第２のセレクターディスク１２２ｂのウェイト選択フィーチャー２０８が係合フィーチャー２３８の下に位置決めされているときには、第４のウェイト１０８ｄは、軸線方向におよび回転方向に、ダンベル１０２に固着され得る。遠位フランジ２０８の１つが第４のウェイト１０８ｄの係合フィーチャー２３８の下に位置決めされていない場合の第２のセレクターディスク１２２ｂの回転配向において、ウェイト１０８ｄは、ダンベル１０２がベース１０４から除去されるときに、ベース１０４の位置決め壁部１１０によって支持されてベース１０４の中に残っているままであることが可能である。回転可能なスリーブ１３２の様々な配向、ひいては、インデキシングディスク１２０およびセレクターディスク１２２の様々な配向は、ディスク１２０、１２２のウェイト選択フィーチャー１５７、１８６、１９０、２０８のいずれもウェイト１０８ａ〜１０８ｄの係合フィーチャー２３８に係合しないことを引き起こすか、または、ディスク１２０、１２２のウェイト選択フィーチャー１５７、１８６、１９０、２０８の１つまたは複数がウェイト１０８ａ〜１０８ｄの係合フィーチャー２３８に係合することを引き起こすことが可能であり、ユーザーが所望の量のダンベルウェイトを選択することを可能にする。
【００５８】
ウェイト選択フィーチャー１５７、１８６、１９０、２０８がフランジなどであるダンベルに関して、フランジの円弧長さを変化させることによって、および／または、フランジの半径方向の場所を変化させることによって、ダンベル１０２の上で利用可能なインクリメンタルのウェイト選択の数は変更され得る。例えば、フランジの円弧長さが減少させられる場合には、一定の半径の周りに設置され得る周辺フランジの数が増加され、したがって、行われ得るインクリメンタルのウェイト選択の数を増加させる。ディスク１２０、１２２の中心からのフランジの半径を増加させることによって、ディスク１２０、１２２の上に配置され得るフランジの数が増加され、したがって、行われ得るインクリメンタルのウェイト選択の可能な数を増加させる。周辺フランジは、好ましくは、選択ディスク１２２の周辺部に沿って位置付けされており、フランジを位置決めするために利用可能な半径が最大化されるようになっているが、フランジは、ディスク１２２の面に沿って任意の半径方向の距離に位置付けされ得る。
【００５９】
ダンベル１０２は、異なるウェイト量を有するウェイト１０８を含み、多数のダンベルウェイトオプションを提供することが可能である。いくつかの実装形態では、ハンドルアッセンブリ１１４は、約５ポンドの重さがあり、第１のウェイト１０８ａは、約１５ポンドの重さがあり、第２のウェイト１０８ｂは、約２．５ポンドの重さがあり、第３のウェイト１０８ｃは、約５ポンドの重さがあり、第４のウェイト１０８ｄは、約５ポンドの重さがある。これらの実装形態では、ウェイト１０８は、多数のウェイトインクリメントによって、約５ポンドから６０ポンドの間のウェイトレンジを備えるダンベル１０２を提供することが可能である。ウェイト１０８は、単一のウェイトプレート、または、一緒に取り付けられている（例えば、クリップで留められる、接着される、リベットで留められる、溶接される、もしくは、他の適切な取り付けエレメント／方法）複数のウェイトプレートから構築され得る。ウェイト１０８が、一緒に取り付けられている複数のウェイトプレートから構築されている実装形態では、ウェイトプレートは、オーバーモールド材料でコーティングされ得る。例示的なオーバーモールド材料は、ナイロン、ポリプロピレン、クレイトン、または、他の適切な材料であることが可能である。
調節可能なダンベル１０２は、より重いダンベルを収容するために別のタイプの選択メカニズムを利用する１つまたは複数のウェイトを含むことが可能である。読んで理解しやすくするために、これらのウェイトは、「追加的なウェイト」または「アドオン式ウェイト」と称され得る。ウェイトの前の「追加的な」または「アドオン式」という用語は、限定することを意図しておらず、単に、以下に説明されているウェイトを本明細書で説明されている他のウェイトから区別することを助けるために、本明細書内で使用されている。
【００６０】
以下で更に詳細に記載するように、アドオンまたは追加のウェイトは、選択アッセンブリを含んでもよく、選択アッセンブリは、選択部材を含んでもよい。実装によっては、セレクターは、回転面で回転し、ウェイトがハンドルアッセンブリに固定して接続されている選択位置と、ウェイトがハンドルアッセンブリに固定して接続されていない非選択位置との間で、選択部材を前後に直線移動させてもよく、かつ選択部材は、回転面に平行でない移動線に沿って直線移動してもよい。実装によっては、選択部材は、ウェイトがハンドルアッセンブリに固定して接続されている選択位置と、ウェイトがハンドルアッセンブリに固定して接続されていない非選択位置との間で、軸線方向で前後に移動可能であってもよい。
【００６１】
図面の中で、特に図１および図２は、アドオンウェイト２４０の第１の実施態様を示す。アドオンウェイト２４０は、ダンベル１０２に結合されない時、ダブテール継手のような機械的結合技術を使用して、基部１０４に着座してもよい。図２および図２８を見ると、アドオンウェイト２４０の近位面２４２は、基部１０４の相補的台形突起２４６を受けるように構成された台形凹部２４４を画定してもよい。図２８を参照すると、台形凹部２４４を画定する対向側壁２４８は、側壁２４８が、アドオンウェイト２４０の底壁２４７に向かって下方に延びるにつれ、互いに分散してもよい。側壁２４８は、側壁２４８が、アドオンウェイト２４０の近位面２４２に向かって近位に延びるにつれ、互いに向かって収束してもよい。台形凹部２４４は、ダンベル１０２が、基部１０４に垂直に下げられる時、凹部２４４が台形突起２４６を受けるように、下向きに開口してもよい。台形突起２４６は、位置決め壁１１０の遠位に置かれてもよく、かつ直立位置に配向されてもよい。基部１０４の台形突起２４６は、アドオンウェイト２４０の側壁２４８を補完するように構成された側壁を含んで、アドオンウェイト２４０が、基部１０４の台形突起２４６に着座する時、基部１０４に対するアドオンウェイト２４０の軸線方向、横方向および回転移動を防止してもよい。
【００６２】
引き続き図１および図２を参照すると、アドオンウェイト２４０は、端部キャップ１２４の遠位でダンベル１０２の対向端部に位置してもよい。図２および図２８を参照すると、アドオンウェイト２４０は、端部キャップ１２４のウェイトアタッチメントフィーチャー２２４と相互接続するように構成されたウェイトアタッチメントフィーチャー２５０を含んでもよい。実施態様によっては、アドオンウェイト２４０のウェイトアタッチメントフィーチャー２５０は、端部キャップ１２４のウェイトアタッチメントフィーチャー２２４を受けるように構成された逆台形凹部であってもよい。逆台形凹部は、台形凹部２４４の上に垂直に配設されてもよい。図２８を参照すると、逆台形凹部を画定する対向側壁２５２は、側壁２５２が、アドオンウェイト２４０の頂壁２５３に向かって上方に延びるにつれ、互いに分散してもよい。その上、側壁２５２は、側壁２５２が、アドオンウェイト２４０の近位面２４２に向かって近位に延びるにつれ、互いに向かって収束してもよい。台形凹部は、ダンベル１０２が、基部１０４に垂直に下げられる時、凹部が端部キャップ１２４のウェイトアタッチメントフィーチャー２２４を受けるように、上向きに開口してもよい。逆台形凹部２５０の側壁２５２は、端部キャップ１２４のウェイトアタッチメントフィーチャー２２４の側壁２２８に補完的であり（図１８を参照）、アドオンウェイト２４０が、端部キャップ１２４のウェイトアタッチメントフィーチャー２２４に着座する時、端部キャップ１２４に対するアドオンウェイト２４０の軸線方向、横方向および回転移動を防止してもよい。
【００６３】
端部キャップ１２４のウェイトアタッチメントフィーチャー２２４は、全体的にダブテール形状の突起またはピンとして示され、かつアドオンウェイト２４０のウェイトアタッチメントフィーチャー２５０は、対応して成形された凹部または溝として示されるが、これらのウェイトアタッチメントフィーチャー２２４、２５０は、相互接続される時、ハンドルアッセンブリ１１４とアドオンウェイト２４０との間の１または２つの剛体運動の自由平行移動度（例えば、軸線方向および横方向平行移動）を制限するいずれかの適切な形状または構造であってもよい。その上、端部キャップ１２４およびアドオンウェイト２４０のウェイトアタッチメントフィーチャー２２４、２５０は、ハンドルアッセンブリ１１４とアドオンウェイト２４０との間の１または２つの剛体運動の自由回転度を制限してもよい。実施態様によっては、アドオンウェイト２４０とハンドルアッセンブリ１１４との間の６つの剛体運動の自由度の内５つは、アドオンウェイト２４０が、ウェイトアタッチメントフィーチャー２２４、２５０のみを介してハンドルアッセンブリ１１４に接合される時、制限される。かかる実施態様において、アドオンウェイト２４０は、アドオンウェイト２４０がハンドルアッセンブリ１１４から切り離され得るように、制限されない剛体運動の自由平行移動度に従ってハンドルアッセンブリ１１４に対して移動してもよい。実施態様によっては、端部キャップ１２４のウェイトアタッチメントフィーチャー２２４は、適切に成形された凹部、溝、スロット等の形を取ってもよく、かつアドオンウェイト２４０のウェイトアタッチメントフィーチャー２５０は、対応して成形された突起、ピン、舌片、レール等を含んでもよい。
【００６４】
図１、図２および図２９を参照すると、ダンベルシステム１００は、選択アッセンブリ２５４を含み、アドオンウェイト２４０をダンベル１０２に選択的に固定して接続してもよい。選択アッセンブリ２５４は、アドオンウェイト２４０に取り付けられてもよく、かつアドオンウェイト２４０の遠位側に実質的に配設されてもよい。選択アッセンブリ２５４は、ダンベル１０２の長手方向軸と軸線方向に整列されてもよく、かつアドオンウェイト２４０のアパーチャー２６０内に部分的に受けられてもよい（図２８を参照）。アパーチャー２６０は、アドオンウェイト２４０の中央領域内に位置決めされてもよい。アドオンウェイト２４０が選択される時にダンベル１０２の全長を短くするために、選択アッセンブリ２５４は、アドオンウェイト２４０の遠位面２５８内に画定された凹部２５６内に少なくとも部分的に配設されてもよい。凹部２５６は、選択アッセンブリ２５４の周りに環状空間を画定して、ダンベル１０２へ、またはダンベル１０２からのアドオンウェイト２４０の係合または取り外し中にユーザーの指を収容してもよい。
図３０〜図３３を参照すると、選択アッセンブリ２５４は、セレクター２６２、基部２６４、選択部材２６６、１対の保持クリップ２６８、および付勢部材２７０、例えば弦巻ばねの１つ以上を含んでもよい。図３０〜図３３を参照すると、セレクター２６２は、ノブ２７２と、セレクターロックアッセンブリと、カバープレート３１０とを含んでもよい。ノブ２７２は、カップまたはキャップの形状に形成されてもよい。
【００６５】
ノブ２７２は、ベースプレート２７４と、基部２７４の周縁に取り付けられた環状側壁２７６とを含んでもよい。ベースプレート２７４は、中央に置かれたアパーチャー２７８を画定してもよく、アパーチャー２７８は、選択部材２６６の一部を受けてもよい。側壁２７６は、ベースプレート２７４から離れて軸線方向に延びてもよく、かつ内部空間２７７を画定してもよい。ノブ２７２は、側壁２７６が、ベースプレート２７４からアドオンウェイト２４０の遠位面２５８に向かって近位に延びるように配向されてもよい。
図３１〜図３３を参照すると、一対の直径方向に対向したカムフォロワーまたはポスト２８０が、ベースプレート２７４に取り付けられ、かつベースプレート２７４から近位に延びてもよい。ポスト２８０は、側壁２７６とアパーチャー２７８との間に径方向に置かれてもよい。各ポスト２８０は、近位自由端２８２を含んでもよく、近位自由端２８２は、頂点２８６に沿って交差する２つの傾斜面２８４を含んでもよい（図３２および図３３を参照）。頂点２８６は、側壁２７６の近位端面２８８と実質的に軸線方向に整列されてもよい（図３３を参照）。
【００６６】
引き続き図３０〜図３３を参照すると、セレクターロックアッセンブリは、押下可能なボタンまたは押しタブのような一対の可動部材２９０と、１つ以上のバイアス部材２９４とを含んでもよい。可動部材２９０は、ノブ２７２の側壁２７６内に形成されたアパーチャー２９２内に受けられてもよく、かつ互いに直径方向に対向してもよい。可動部材２９０は、アパーチャー２９２内に受けられる時、ポスト２８０間に角度を成して配設されてもよい。図３３を参照すると、可動部材２９０の一部は、ユーザーによる操作のために、側壁２７６の外部に置かれてもよい。
【００６７】
なおも図３３を参照すると、可動部材２９０は、ばねのような１つ以上のバイアス部材２９４によって径方向外側に付勢されてもよい。バイアス部材２９４は、キャップアッセンブリ２６２の長手方向軸に垂直に配向されてもよく、かつ可動部材２９０とノブ２７２の中空スタブシャフト２９６との間に配設されてもよく、中空スタブシャフト２９６は、遠位方向でベースプレート２７４から軸線方向に延びてもよい。バイアス部材２９４の径方向内側端部２９４ａは、スタブシャフト２９６に寄せて着座してもよく、かつバイアス部材２９４の径方向外側端部２９４ｂは、各可動部材２９０に寄せて着座してもよい。バイアス部材２９４の一部は、スタブシャフト２９６に開口してもよい、可動部材２９０の内部キャビティー２９８内に受けられてもよい。
【００６８】
図３２および図３３を参照すると、ラッチフィーチャー３００が、可動部材２９０に取り付けられ、かつ可動部材２９０から遠位方向に延びてもよい。ラッチフィーチャー３００は、スタブシャフト２９６と側壁２７６との間に径方向に配設されてもよく、かつ可動部材２９０と一致して移動してもよい。ラッチフィーチャー３００は、基部２６４に対するノブ２７２の軸線方向位置に基づいて基部２６４を選択的に係合するように構成されてもよい。ラッチフィーチャー３００は、基部２６４と係合される時、ラッチフィーチャー３００が、可動部材２９０の作動によって解放されるまで、基部２６４に対するキャップ２７２の軸線方向および／または回転移動を防止してもよい。
引き続き図３２および図３３を参照すると、ラッチフィーチャー３００は、各可動部材２９０に取り付けられたフック３０２を含んでもよい。フック３０２は、可動部材２９０と一致して移動してもよい。フック３０２は、全体的に「Ｊ」字形に形成されてもよい。各フック３０２は、径方向外側に向けられたバーブ３０４を画定する自由端を含んでもよい。バーブ３０４は、側壁２７６に対して直角に、または実質的に直角に配向された遠位面３０６と、側壁２７６に対して傾斜して配向された近位面３０８とを含んでもよい。
【００６９】
引き続き図３２および図３３を参照すると、カバープレート３１０は、ノブ２７２に着脱可能に取り付けられてもよい。カバープレート３１０は、側壁２７６の径方向内側に配設されてもよく、かつ側壁２７６に対して直角に、または実質的に直角に配向されてもよい。カバープレート３１０は、スタブシャフト２９６の近位端に取り付けられてもよく、かつノブ２７２のアパーチャー２７８と軸線方向に整列され、かつ選択部材２６６の一部を受けるように構成された、中央に置かれたアパーチャー３１２を画定してもよい。カバープレート３１０は、ベースプレート２７４と平行に、または実質的に平行に配向され、かつベースプレート２７４から軸線方向にオフセットされて、側壁２７６上の点の間で弦状に延びるガイド３１４（図３２を参照）と共に、可動部材２９０のそれぞれの摺動チャネル３１６を画定してもよい（図３３を参照）。この形態において、可動部材２９０は、ガイド３１４間で横方向に制約されてもよく、かつベースプレート２７４とカバープレート３１０との間で軸線方向に抑制されてもよい。摺動チャネル３１６は、スタブシャフト２９６に向かい、かつスタブシャフト２９６から離れる径方向での可動部材２９０の移動を可能にするために、径方向に過大寸法にされてもよい。
【００７０】
図３０、図３１および図３４〜図３６を参照すると、ウェイト選択アッセンブリ２５４の基部２６４は、ノブ２７２の内部空間２７７に少なくとも部分的に受けられてもよい。基部２６４は、基壁３１７と、基壁３１７の周縁から軸線方向に延びる側壁３１８とを含んでもよい。基壁３１７は、中央に置かれたアパーチャー３１９を画定してもよく、中央に置かれたアパーチャー３１９は、選択部材２６６の一部を受けてもよい。側壁３１８は、外面３２０を含んでもよく、外面３２０は、円筒形または実質的に円筒形であってもよい。ノブ２７２の側壁２７６は、基部２６４に対するノブ２７２の移動中に、基部２６４の外面３２０に対して摺動可能に圧迫する。選択アッセンブリ２５４が組み立てられる時、基部２６４は、側壁３１８がノブ２７２のベースプレート２７４に向かって基壁３１７から遠位に延びるように配向されてもよい。
【００７１】
図３４〜図３６を参照すると、基部２６４は、ノブ２７２のポスト２８０と連動するように構成された、一対の直径方向に対向したカム面またはランプ３２２を画定してもよい。ランプ３２２は、側壁３１８とアパーチャー３１９との間に径方向に配設されてもよい。第１の待機位置３２４は、ランプ３２２の遠位端に配設されてもよく、かつ選択アッセンブリ２５４が取り外された位置にある時、それぞれのポスト２８０の近位自由端２８２を受けるように構成されてもよい。第２の待機位置３２６は、ランプ３２２の近位端に配設されてもよく、かつ選択アッセンブリ２５４が係合された位置にある時、それぞれのポスト２８０の近位自由端２８２を受けるように構成されてもよい。ランプ３２２の遠位部は、滞留面３２８を形成してもよく、滞留面３２８は、第１の待機位置３２４からランプ３２２の急勾配部分への丸い移行部を画定してもよい。
【００７２】
引き続き図３４〜図３６を参照すると、基部２６４は、ウェイト選択２５４アッセンブリが係合位置にある時、可動部材２９０のラッチフィーチャー３００と連動するキャッチフィーチャー３３０を画定してもよい。キャッチフィーチャー３３０は、基部２６４の側壁３１８内に画定されてもよく、かつ直径方向に対向したランプ３２２間に角度を成して配設されてもよい。対応するラッチおよびキャッチフィーチャー３００、３３０は、一旦係合されると、基部２６４に対するノブ２７２の軸線方向移動を防止でき、それにより選択アッセンブリ２５４が、係合または選択された位置に留まることを確実にする。基部２６４に対するノブ２７２の移動を可能にするために、可動部材２９０は、ユーザーによって押し下げられ、対応するラッチおよびキャッチフィーチャー３００、３３０を取り外してもよい。
【００７３】
引き続き図３４〜図３６を参照すると、基部２６４のキャッチフィーチャー３３０は、基部２６４の側壁３１８を通って延びる一対の直径方向に対向したアパーチャー３３２を含んでもよい。アパーチャー３３２は、側壁３１８の遠位端面３３４と基壁３１７との間に軸線方向に置かれてもよい。アパーチャー３３２は、丸いまたは面取りをした内縁部３３６を含む遠位端面３３４の一部の近位に置かれてもよい。アパーチャー３３２は、互いに整列される時、フック３０２のバーブ３０４を受けるように大きさを決められてもよい。
【００７４】
図３１、図３５、および図３６〜図４０を参照すると、基部２６４は、アドオンウェイト２４０に固定して締め付けられてもよい。基部２６４は、基壁３１７に取り付けられ、かつ基壁３１７から近位方向に突き出す軸線方向に延びるスリーブ３３８を含んでもよい。スリーブ３３８は、アドオンウェイト２４０の中央に置かれたアパーチャー２６０内に受けられてもよい。スリーブ３３８は、基部２６４が、アドオンウェイト２４０に固定して接合されるようにアパーチャー２６０内に締まり嵌めされてもよい（図３７〜図４０を参照）。基部２６４をアドオンウェイト２４０に締まり嵌めする代わりに、またはそれ加えて、基部２６４をアドオンウェイト２４０に締め付けるために、ファスナー、接着剤、溶接またはそのいずれかの組み合わせを使用することを含むが、それに限定されない他の機械的結合技術が使用されてもよい。基壁３１７のアパーチャー３１９は、スリーブ３３８を通って軸線方向に延びてもよく、かつ付勢部材２７０と、選択部材２６６の近位部分を受けるように構成されてもよい。
【００７５】
図３０および図３１を参照すると、選択部材２６６は、細長いシャフト３４０と、シャフト３４０の近位端に取り付けられたヘッド３４２とを含んでもよい。シャフト３４０は、選択部材２６６が、シャフト３４０の長手方向軸に沿って選択アッセンブリ２６２と一致して移動するように、選択アッセンブリ２６２に取り付けられてもよい。シャフト３４０は、シャフト３４０の外面に第１および第２の環状溝３４４、３４６を画定してもよい。溝３４４、３４６は、シャフト３４０の長さに沿って互いに軸線方向に離間されてもよく、かつ保持クリップ２６８を受けるように構成されてもよい。図３７〜図４０を参照すると、保持クリップ２６８の一方は、キャップ２７２のベースプレート２７４の遠位に配設されてもよく、かつ第１の環状溝３４４にスナップ嵌めされてもよい。保持クリップ２６８の他方は、選択アッセンブリ２６２のカバープレート３１０の近位に配設されてもよく、かつ第２の環状溝３４６にスナップ嵌めされてもよい。保持クリップ２６８は、ベースプレート２７４および選択アッセンブリ２６２のカバープレート３１０に対して当接してもよく、それにより選択部材２６６がダンベル１０２に対して軸線方向に選択アッセンブリ２６２と一致して移動するように、選択部材２６６を選択アッセンブリ２６２に締め付ける。保持クリップ２６８を利用する代わりに、またはそれ加えて、選択部材２６６を選択アッセンブリ２６２に締め付けるために、ファスナー、接着剤、溶接またはそのいずれかの組み合わせを使用することを含むが、それに限定されない他の機械的結合技術が使用されてもよい。
【００７６】
図３０および図３１に戻って参照すると、選択部材２６６のヘッド３４２は、シャフト３４０よりも大きい外径を有してもよく、それによりシャフト３４０の外面とヘッド３４２との間に横断方向に延びるショルダー３４８（図３０を参照）を画定する。ヘッド３４２は、ヘッド３４２の近位端面を通って開口する凹部またはソケット３５０を画定してもよい。ソケット３５０は、選択アッセンブリ２５４が、係合または選択された位置にある時（図３９および図４０を参照）、ハンドルアッセンブリ１１４に締め付けられる適切に成形されたアドオンウェイト係合フィーチャー２２０を受けるように構成されてもよい。実施態様によっては、アドオンウェイト係合フィーチャー２２０は、ファスナーのヘッド２２０ａであってもよい。ヘッド２２０ａは、ソケット３５０内にぴったりと受けられ、選択部材２６６とアドオンウェイト係合フィーチャー２２０との間の相対的垂直および／または横方向移動を防止、または実質的に防止してもよい。しかしながら、アドオンウェイト係合フィーチャー２２０は、ハンドルアッセンブリ１１４に接合され、かつ選択部材２６６とアドオンウェイト係合フィーチャー２２０との間の相対的垂直および／または横方向移動を防止するように構成された適切に成形された、いずれの突起、隆起部等であってもよい。その上、ソケット３５０は、ヘッド３４２から省くことができ、かつアドオンウェイト係合フィーチャー２２０は、選択部材２６６とアドオンウェイト係合フィーチャー２２０との間の垂直および／または横方向移動を制限するために、内部にヘッド３４２を受けるように構成されたソケット等に形成できる。
【００７７】
引き続き図３０、図３１、および図３７〜図４０を参照すると、付勢部材２７０は、選択部材２６６を、選択部材２６６のヘッド３４２がアドオンウェイト係合フィーチャー２２０の周りに位置決めされる（図３９および図４０を参照）、係合または選択された位置に向かって付勢してもよい。付勢部材２７０がコイルばねである場合のような、実施態様によっては、付勢部材２７０は、選択部材２６６のシャフト３４０の周りに配設されてもよく、かつ基部２６４によって画定されるアパーチャー３１９内に受けられてもよい。付勢部材２７０は、基部２６４の基壁３１７と選択部材２６６のショルダー３４８との間に軸線方向に配設されてもよい。付勢部材２７０は、基部２６４の近位面に反して、かつ選択部材２６６のショルダー３４８に反して作動してもよい。付勢部材２７０は、近位方向で選択部材２６６のヘッド３４２に対して軸線方向の力を及ぼしてもよく、それにより選択部材２６６を係合または選択された位置に向かって付勢する（図３９および図４０を参照）。
【００７８】
図３７および図３８を参照すると、選択アッセンブリ２５４が、取り外されたまたは選択されない位置に描かれる。取り外されたまたは選択されない位置において、選択部材２６６は、アドオンウェイト２４０の近位面２４２と端部キャップ１２４の遠位端面２２６との間に画定された分離面３５２の遠位に選択部材２６６を置く遠位位置に配設されてもよく、それによりハンドルアッセンブリ１１４（図５を参照）が、アドオンウェイト２４０なしに基部１０４から外されることを可能にする。取り外されたまたは選択されない位置において、選択部材２６６のヘッド３４２は、スリーブ３３８内に収容されてもよく、かつショルダー３４８は、スリーブ３３８の対応する内壁に対して当接し、ハンドルアッセンブリ１１４が、ハンドルアッセンブリ１１４を妨げる選択部材２６６なしに基部１０４から外されることを可能にしてもよい。選択されないまたは取り外された位置において、ノブ２７２のポスト２８０は、基部２６４の第１の待機位置３２４に着座し、選択アッセンブリ２５４を取り外されたまたは選択されない位置に維持してもよい。ノブ２７２の側壁２７６は、基部２６４の側壁３１８に重なって、ノブ２７２および基部２６４の正確な軸線方向の整列を確実に行ってもよい。側壁２７６の近位端面２８８は、アドオンウェイト２４０の遠位面２５８から軸線方向に離して間隔を空けられ、一旦ポスト２８０が、その第１の待機位置３２４から退くと、アドオンウェイト２４０に向かうノブ２７２の軸線方向移動を可能にしてもよい。付勢部材２７０は、選択部材２６６のショルダー３４８と基部２６４のベースプレート３１７との間で軸線方向に圧縮されてもよい。
【００７９】
図３９および図４０を参照すると、選択アッセンブリ２５４が、係合または選択された位置で描かれる。係合または選択された位置において、セレクター２６２は、選択部材２６６が分離面３５２を越えて伸び、それによりアドオンウェイト２４０とハンドルアッセンブリ１１４との間の相対的垂直移動を防止するように近位位置に配設されてもよい（図５、図３９、および図４０を参照）。先に論じたように、ハンドルアッセンブリ１１４およびアドオンウェイト２４０が、基部１０４に設置される時、アドオンウェイト２４０の逆台形凹部２５０の側壁２５２は、端部キャップ１２４のウェイトアタッチメントフィーチャー２２４の側壁２２８を係合し、端部キャップ１２４に対するアドオンウェイト２４０の軸線方向、横方向および回転移動を防止してもよい。それ故に、垂直な分離面３５２を越えて選択部材２６６が伸延した後、ウェイト係合アッセンブリ２５４は、アドオンウェイト２４０に対する端部キャップ１２４、およびその逆の垂直移動を防止または実質的に防止し、アドオンウェイト２４０が、ハンドルアッセンブリ１１４に固定して締め付けられるという結果になる。
図３９を参照すると、選択アセンブリ２５４が、係合または選択された位置にある時、ノブ２７２のポスト２８０は、基部２６４の第２の待機位置３２６に着座してもよく、かつ付勢部材２７０によってこの位置に付勢されてもよい。図４０を参照すると、可動部材２９０のフック３０２は、基部２６４のアパーチャー３３２内に受けられ、選択アッセンブリ２５４を係合または選択された位置に締め付けてもよい。フック３０２の遠位面３０６（図３３を参照）は、アパーチャー３３２を取り囲む側壁３１８の一部を係合し、セレクター２６２を基部２６４に締め付けてもよい。
【００８０】
アドオンウェイト２４０を選択するために、ユーザーは、ダンベル１０２を基部１０４内に設置し、セレクター２６２を係合または選択された位置に移動させ、かつダンベル１０２を基部１０４から外し、所望の体操を実行してもよい。セレクター２６２を、係合または選択された位置と取り外されたまたは選択されない位置との間で、またはその逆に移動させるために、ユーザーは、回転軸に対して垂直な回転面で起こる回転によって、回転軸の周りでノブ２７２を介してセレクター２６２を回転またはねじってもよい。回転軸は、ダンベル１０２のシャフト１２７の中心長手方向軸と平行であり、かつ／または一致してもよい。
【００８１】
第１の回転方向におけるセレクター２６２の回転で、ノブ２７２のポスト２８０が、基部２６４の第１の待機位置３２４から退く。一旦ポスト２８０が退くと、セレクター２６２は、選択部材２６６を端部キャップ１２４に向けて直線移動させる。それ故に、セレクター２６２の回転運動は、選択部材２６６の直線運動に変換される。選択部材２６６の直線移動は、（１）回転軸に平行な、実質的に平行な、または一致する、（２）回転面に垂直な、実質的に垂直な、傾斜した、さもなければ平行でない、かつ／または（３）ダンベル１０２のシャフト１２７の長手方向軸に平行な、実質的に平行な、または一致する運動線に沿って起こってもよい。実施態様によっては、係合または選択された位置と取り外されたまたは選択されない位置との間で、およびその逆での選択部材２６６の移動は、「軸線方向移動」（または「軸線方向運動」、「軸線方向に可動な」、「軸線方向に移動する」、もしくは「軸線方向に移動した」）とみなされ、または称されてもよく、これは、シャフト１２７の長手方向軸に平行な、または実質的に平行な線に沿って起こる選択部材２６６の直線移動または運動と理解される。
【００８２】
選択部材２６６が、セレクター２６２の回転によって端部キャップ１２４に向かって駆動されるにつれ、セレクター２６２は、選択部材２６６の方向と同様の方向において、端部キャップ１２４に向かって同様に移動する。セレクター２６２のこの運動中に、ポスト２８０は、初めに滞留面３２８に沿って進んでもよく、かつその後に、滞留面３２８に対して高速度でランプ３２２の急勾配スロープ部分に沿って進んでもよい。このようにして、セレクター２６２は、初めは第１の低速度で、その後に第２の高速度で移動してもよい。セレクター２６２は、図３７および図３８の取り外されたまたは選択されない位置から図３９および図４０の係合または選択された位置へのセレクター２６２の移動中に、基部２６４およびアドオンウェイト２４０に対して近位方向に、かつ回転して移動してもよい。ランプ３２２の近位端で、ポスト２８０は、付勢部材２７０の付勢の下で、基部２６４の第２の待機位置３２６に着座してもよく、その位置において、フック３０２は、側壁３１８のアパーチャー３３２内に受けられ、セレクター２６２を係合または選択された位置に締め付けてもよい。
【００８３】
滞留面３２８によって与えられた低速度は、図３７および図３８の取り外されたまたは選択されない位置から図３９および図４０の係合または選択された位置へのセレクター２６２の移動中に、セレクター２６２のフック３０２と基部２６４の側壁３１８との間に低い衝撃力を引き起こしてもよい。先に論じたように、フック３０２は、バイアス部材２９４によって径方向外側に付勢されてもよい（図３３および図４０を参照）。フック３０２は通常、バーブ３０４の少なくとも一部が、側壁３１８と干渉する関係に位置決めされ、セレクター２６２が係合または選択された位置にある時、フック３０２が側壁３１８のアパーチャー３３２を係合することを確実にするように、側壁３１８に対して位置決めされてもよい。このようにして、取り外されたまたは選択されない位置から係合または選択された位置への選択アッセンブリ２６２の移動中に、フック３０２は、側壁３１８と接触してもよく、側壁３１８は、フック３０２およびそれ故に可動部材２９０を径方向内側に駆動してもよく、それによりバイアス部材２９４を圧縮し、かつフック３０２が、側壁３１８の内面に沿って摺動自在に通過することを可能にする。フック３０２は、ポスト２８０が滞留面３２８に沿って移動する時に、側壁３１８の遠位端面３３４に初めに接触してもよく、それにより低速による低い衝撃力を引き起こす。衝撃力を更に減少させるために、フック３０２の傾斜した角度を付けた近位面３０８は、基部２６４の側壁３１８の遠位端面３３４の丸い縁部３３６に接触してもよく、それにより低い衝撃力による側壁３１８に対するフック３０２の内側への移動を容易にする。
【００８４】
ユーザーが、アドオンウェイト２４０のないダンベルウェイトを望むならば、ユーザーは、ダンベル１０２を基部１０４内に戻し、セレクター２６２を取り外されたまたは選択されない位置に移動させ、かつ所望のウェイトを有し、アドオンウェイト２４０のないダンベル１０２を基部１０４から外してもよい。セレクター２６２を取り外されたまたは選択されない位置に移動させるために、ユーザーは、可動部材２９０を径方向内側に押すことによって可動部材２９０を作動させてもよく、それによりフック３０２を径方向内側に移動させ、かつフック３０２を基部２６４の側壁３１８から取り外す。一旦フック３０２が、側壁３１８から取り外されると、ユーザーは、第１の方向に対向する第２の回転方向において、回転軸の周りで基部２６４に対してノブ２７２を介してセレクター２６２を回転またはねじることによって、セレクター２６２をアドオンウェイト２４０から遠位方向に離して移動させ、基部２６４の第１の待機位置３２４にノブ２７２のポスト２８０を着座させてもよい。セレクター部材２６６が端部プレート１２４から離れるにつれ、選択部材２６６は、（１）回転軸に平行な、実質的に平行な、または一致する、（２）回転面に垂直な、実質的に垂直な、傾斜した、さもなければ平行でない、かつ／または（３）ダンベル１０２のシャフト１２７の中心長手方向軸に平行な、実質的に平行な、または一致する運動線に沿って端部キャップ１２４から離れて直線移動する。
【００８５】
選択アッセンブリ２５４の配置は、付勢部材２７０が、選択部材２６６を取り外されたまたは選択されない位置に付勢し（図３７および図３８を参照）、かつユーザーが、付勢部材２７０の力に反してセレクター２６２を押し、選択部材２６６を係合または選択された位置に移動させる（図３９および図４０を参照）ように変更されてもよい。この代替的な実装において、付勢部材２７０は、セレクター２６２のカバープレート３１０と基部２６４の基壁３１７との間に軸線方向に位置決めされてもよい。更に、選択アッセンブリ２５４は、セレクター２６２が同じ回転方向に連続して回転され、セレクター部材２６６を係合または選択された位置と取り外されたまたは選択されない位置との間で、またはその逆に移動できるように修正されてもよい。
【００８６】
図４１および図４２は、構成部品の中で特にウェイト１０８を断面で示す、調節可能なダンベルシステム１００一端の縦断面図である。ウェイト１０８は、互いに取り付けられた（例えば、クリップで留められた、接着剤で貼り付けられた、リベット３５４で留められた、溶接された、または他の適切な取り付け要素／方法）１つ以上のウェイトプレート３５４から構成されてもよい。ウェイト１０８が、一緒に取り付けられた複数のウェイトプレート３５４から構成される実装において、ウェイトプレート３５４は、オーバーモールド材料３５８によって被覆されてもよい（図４１を参照）。オーバーモールド材料の例は、ナイロン、ポリプロピレン、クレイトン（Ｋｒａｔｏｎ）または他の適切な材料であってもよい。図４１および図４２で、選択アッセンブリ２５４は、選択部材２６６が、アドオンウェイト２４０に対するハンドルアッセンブリ１１４の垂直移動を可能にするために、分離面３５２の完全に遠位に位置決めされる、取り外されたまたは選択されない位置に配設される。
【００８７】
図４３から図４８Ｂは付加的ウェイトアッセンブリ３６０の他の例である。付加的ウェイトアッセンブリ３６０は全体に付加的ウェイト３６２および選択アッセンブリ３６４を含む。図４３および図４４を参照し、付加的ウェイト３６２は全体に付加的ウェイト２４０に関連して前に記載および描かれたものと同じ特徴を含む。そのため、簡潔にする目的でこれらの特徴の議論は本明細書で繰り返さない。
図４３および図４４を尚参照し、選択アッセンブリ３６４は付加的ウェイト３６２をダンベル１０２（図１および図２を参照）に選択的に取り付けるように構成され得る。選択アッセンブリ３６４は付加的ウェイト３６２に取付けられてもよく、付加的ウェイト３６２の遠位側に沿って少なくとも部分的に配置され得る。選択アッセンブリ３６４はハンドル１０６（図６を参照）の長手軸に軸方向に整列し得、付加的ウェイト３６２（図４４を参照）の中央貫通孔２６０内に部分的に受容され得る。付加的ウェイト３６２が選択される時にダンベル１０２の全体の長さを短くするため、選択アッセンブリ３６４は付加的ウェイト３６２の遠位面２５８内に規定される凹部２５６内に少なくとも部分的に配置され得る。凹部２５６は、選択アッセンブリ３６４の操作のためにユーザーの指を収容するために選択アッセンブリ３６４の周りに環状空間を規定し得る。
【００８８】
図４５および図４６を参照し、選択アッセンブリ３６４はセレクター３６６、保持部材３６８、選択部材３７０、クロスピン３７２、１つまたは複数のファスナー３７４およびらせんばねのような付勢部材３７６を含み得る。セレクター３６６は少なくとも部分的に凹部２５６（図４３を参照）内に付加的ウェイト３６２の遠位側に沿って配置され得る。セレクター３６６はユーザーがセレクター３６６を握るのを容易にするため外部把持面３７８を含み得る。把持面３７８はセレクター３６６の側壁の周りに連続的にまたは不連続的に延伸し得る。セレクター３６６はセレクター３６６の近位側を通して開口３８０を規定し得る。セレクター３６６はほぼ円筒形のキャップまたはノブとして形成されてもよい。
【００８９】
引き続き図４５および図４６を参照し、選択部材３７０は細長いシャフト３８２およびシャフト３８２の近位端に取り付けられたヘッド３８４を含み得る。シャフト３８２は選択部材３７０がセレクター３６６と一致して直線的に回転して移動するようにセレクター３６６に取り付けられ得る。シャフト３８２の遠位端部３８５はセレクター３６６の開口３８０内に受容され、任意の適切な機械的結合技術によりセレクター３６６に固定して取り付けられる。シャフト３８２はクロスピン３７２を受容するためにシャフト３８２を通して横方向に延伸する開口３８６を規定し得る。開口３８６はヘッド３８４とシャフト３８２の遠位端部３８５との間に軸方向に配置され得る。選択部材３７０のヘッド３８４はシャフト３８２より大きい外径を有してもよい。ヘッド３８４はヘッド３８４の近位端面を通して開口する凹部即ちソケット３８８を規定し得る。ソケット３８８は、選択アッセンブリ３６４が係合即ち選択位置（図３９および図４０を参照）にある時、適切な形状の付加的ウェイト係合フィーチャー２２０を受容するように構成され得る。ある実施形態において、付加的ウェイト係合フィーチャー２２０はダンベル１０２のファスナーのヘッド２２０ａであってもよい。ヘッド２２０ａは、選択部材３７０と付加的ウェイト係合フィーチャー２２０との間の相対的な垂直および／または横方向の移動を防止またはほぼ防止するために、ソケット３８８内にぴったりと受容され得る。しかし、付加的ウェイト係合フィーチャー２２０はハンドルアッセンブリ１１４に接合されかつ選択部材３７０と付加的ウェイト係合フィーチャー２２０との間の相対的な垂直および／または横方向の移動を防止するよう構成された如何なる適切な形状の突起、突出物等であってもよい。更に、ソケット３８８はヘッド３８４から省くことも可能であり、付加的ウェイト係合フィーチャー２２０は、ヘッド３８４をその中に受容するよう構成されて選択部材３７０と付加的ウェイト係合フィーチャー２００との間の垂直および／または横方向の移動を制限するソケット等に形成されてもよい。
【００９０】
ヘッド３８４はヘッド３８４の遠位端面を通して開口する凹部３９０を規定し得る。凹部３９０はヘッド３８４の軸方向に延伸する壁とシャフト３８２の外面との間に径方向に配置される環状受容空間を形成し得る。凹部３９０は付勢部材３７６の少なくとも一部を受容するように構成されてもよい。
【００９１】
図４５および図４６を尚参照して、付勢部材３７６は、選択部材３７０のヘッド３８４が付加的ウェイト係合フィーチャー２２０（図３９および図４０を参照）の周りに配置される係合即ち選択位置に選択部材３７０を付勢し得る。付勢部材３７６がコイルばね等である時、付勢部材３７６は選択部材３７０のシャフト３８２の周りに配置され得、ヘッド３８４により規定される環状凹部３９０内に受容され得る。付勢部材３７６はヘッド３８４の横方向肩部と保持部材３６８との間に軸方向に配置されてもよい。付勢部材３７６はヘッド３８４の横方向肩部の遠位面および保持部材３６８の近位面に抗して作用し得る。付勢部材３７６は選択部材３７０のヘッド３８４に近位方向に軸力を実行してもよく、よって選択部材３７０を係合即ち選択位置（図４８Ａを参照）に付勢する。
【００９２】
図４５から図４７を参照し、保持部材３６８は、保持部材３６８に対する選択部材３７０の回転方向に応じて選択部材３７０の通過を選択的に許可するように構成されたプレートとして形成され得る。保持部材３６８は保持部材３６８を通って延伸する開口３９２を規定し得る。開口３９２は選択部材３７０のシャフト３８２の長手軸３９４に軸方向に整列し得る。図４７を参照し、開口３９２はシャフト３８２の通過を許可するがクロスピン３７２の通過は許可しない大きさの内側部３９５を含み得る。開口３９２の内側部３９５は円筒形またはほぼ円筒形である。開口３９２はクロスピン３７２のキー溝を規定してクロスピン３７２の通過を許可する外側部３９６も含み得る。外側部３９６は内側部３９５から径方向外側に延伸し得、クロスピン３７２（図４８Ａを参照）の端部の通過を許可するよう構成された１つまたは複数のスロットとして形成され得る。
【００９３】
図４７を参照し、保持部材３６８はクロスピン３７２を受容するように構成されたパーキング位置またはシート３９８を規定し得る。シート３９８は全体に開口３９２の外側部３９６と同じ構成を有してもよいが、シート３９８は貫通孔ではなく凹部として形成されてもよい。シート３９８は開口３９２の内側部３９５から径方向外側に延伸し開口３９２の外側部３９６から角度がずれてもよく、その結果、クロスピン３７２の通過の後、ユーザーはセレクター３６６を開口３９２の外側部３９６を通して遠位方向に回転させ得、クロスピン３７２をシート３９８内に配置し選択部材３７０を離脱即ち非選択位置（図４８Ｂを参照）に保持する。
【００９４】
図４５から図４８Ｂを参照し、保持部材３６８は１つまたは複数のファスナー３７４または他の任意の適切な機械的結合方法により付加的ウェイト３６２に取り付けられ得る。保持部材３６８はファスナー３７４を受容するように構成された１つまたは複数の貫通孔４００を規定し得、ファスナー３７４はボルトおよび対応するナット、ネジ、リベットまたは保持部材３６８を付加的ウェイト３６２に取り付け可能な他の適切なファスナーを含んでもよい。保持部材３６８が付加的ウェイト３６２に取り付けられる時、保持部材３６８の開口３９２は付加的ウェイト２４０（図４８Ａを参照）の中央貫通孔２６０と軸方向に整列し得る。
【００９５】
図４８Ａを参照し、選択アッセンブリ３６４は係合即ち選択位置に描かれる。この位置において、セレクター３６６は付加的ウェイト３６２の遠位面に隣接した近位位置に配置され得る。選択部材３７０は端部キャップ１２４と付加的ウェイト３６２との間に規定された分離平面４０２を越えて延伸し得、よってハンドルアッセンブリ１１４（図３から図５を参照）と付加的ウェイト３６２との間の相対的な垂直移動を防止する。ハンドルアッセンブリ１１４と付加的ウェイト３６２がベース１０４上に配置されると、付加的ウェイト３６２の逆台形凹部２５０の側壁２５２は端部キャップ１２４のウェイト取付けフィーチャー２２４の側壁２２８と係合し得、端部キャップ１２４（図１８および図４４）に対する付加的ウェイト３６２の軸方向、横方向および回転動作を防止する。選択部材３７０が垂直な分離平面４０２を越えて延伸すると、選択アッセンブリ３６４は付加的ウェイト３６２に対する端部キャップ１２４の垂直移動を防止またはほぼ防止し、またその逆も成り立ち、結果として付加的ウェイト３６２がハンドルアッセンブリ１１４に固定して取り付けられる。
【００９６】
図４８Ａを引き続き参照し、係合即ち選択位置において、クロスピン３７２は保持部材３６８の近位に配置され得る。付勢部材３７６の遠位端は保持部材３６８の近位面に対して固定され得、付勢部材３７６の近位端はヘッド３８４の肩部に対して固定され得る。付勢部材３７６は選択部材３７０のヘッド３８４に対する軸力を付与し、選択部材３７０のヘッド３８４を、分離平面４０２を越えて近位方向に駆動し得る。
図４８Ｂを参照し、選択アッセンブリ３６４は離脱即ち非選択位置に描かれる。この位置において、セレクター３６６は付加的ウェイト３６２の遠位面から遠位に離間し得る。選択部材３７０は完全に分離平面４０２の遠位に配置され得、よってハンドルアッセンブリ１１４と付加的ウェイト３６２との間の相対的な垂直移動を許可する。保持部材３６８は付勢部材３７６の付勢に対抗して、選択部材３７０を離脱即ち非選択位置に保持し得る。クロスピン３７２は保持部材３６８の遠位面に隣接したシート３９８内に配置されてもよい。付勢部材３７６は圧縮されてクロスピン３７２をシート３９８内に付勢してもよく、よってユーザーがセレクター３６６を回転させてクロスピン３７２をシート３９８から移動させ、クロスピン３７２を開口３９２（図４７を参照）の外側部３９６に整列させるまで選択部材３７０を離脱即ち非選択位置に保持する。
【００９７】
付加的ウェイト３６２を選択するため、ユーザーはダンベル１０２をベース１０４に配置し、選択部材３７０を係合即ち選択位置に移動させ、ダンベル１０２をベース１０４から取り外し望ましい運動を行ってもよい。選択部材３７０を図４８Ｂの離脱即ち非選択位置から図４８Ａの係合即ち選択位置に移動させるため、ユーザーは、選択アッセンブリ２５４の前述の実施形態の回転動作と同じ方法で、セレクター３６６を回転軸３９４の周りで回転即ち転回させ、クロスピン３７２を保持部材３６８のシート３９８から動かしてもよい。回転軸３９４は選択部材３７０のシャフト３８２の長手軸と一致しても、一致しなくてもよい。ユーザーはセレクター３６６を回転させ続け、クロスピン３７２を、付勢部材３７６が選択部材３７０を端部キャップ１２４へ向けて近位方向に直線的に移動させ得る開口３９２の外側部３９６に整列させてもよい。直線移動は選択アッセンブリ２５４の前述の実施形態の直線移動と同じか、または類似していてもよい。付勢部材３７６の軸力は、ダンベル１０２の運動タイプの使用の間、選択部材３７０を係合即ち選択位置に維持し得る。
【００９８】
万一ユーザーが付加的ウェイト３６２の無いダンベルウェイトを望む場合、ユーザーはダンベル１０２をベース１０４に戻し、セレクター３６６を離脱即ち非選択位置に移動させ、付加的ウェイト３６２の無い所望のウェイトでダンベル１０２をベース１０４から取り外してもよい。セレクター３６６を離脱即ち非選択位置に移動させるため、ユーザーはセレクター３６６を付加的ウェイト３６２から遠位に離間するよう引いてもよい。ユーザーはセレクター３６６を保持部材３６８に対して回転即ち転回させ、クロスピン３７２を開口３９２の外側部３９６に整列させてもよく、回転して整列すると、ユーザーはセレクター３６６を付加的ウェイト３６２から離間するよう継続して引き、クロスピン３７２を、開口３９２を通して遠位に移動させてもよい。クロスピン３７２が開口３９２を通して遠位に移動されると、ユーザーはセレクター３６６を保持部材３６８に対して回転即ち転回させ、クロスピン３７２を保持部材３６８の遠位面に形成されたシート３９８へ回転させてもよい。クロスピン３７２がシート３９８に位置すると、ユーザーはセレクター３６６を解放し得る。解放時、付勢部材３７６はクロスピン３７２をシート３９８内に押し込み、その結果保持部材３６８は選択部材３７０を離脱または非選択位置（図４８Ｂ）にしっかりと保持し得る。
【００９９】
選択アッセンブリ３６４の配置は、付勢部材３７６が選択部材３７０を図４８Ｂの離脱即ち非選択位置へ遠位に付勢できるように変化されてもよい。この代替的な実施では、ユーザーはセレクター３６６を付勢部材３７６の力に抗して押圧し、選択部材３７０を図４８Ａの係合即ち選択位置に移動させてもよい。付勢部材３７６は保持部材３６８とセレクター３６６の間に軸方向に配置されてもよく、シート３９８は保持部材３６８の近位面に形成されてもよい。
図４９から図５７Ｂは付加的ウェイトアッセンブリ４０４の他の例を示す。付加的ウェイトアッセンブリ４０４は全体に付加的ウェイト４０６と選択アッセンブリ４０８を含む。図４９および図５０を参照し、付加的ウェイト４０６は全体に付加的ウェイト２４０に関連して前に記載されて描かれたのと同じ特徴を含む。そのため、これらの特徴の議論は簡潔にするため本明細書では繰り返さない。
【０１００】
図４９および図５０を参照し、選択アッセンブリ４０８は選択的に付加的ウェイト４０６をダンベル１０２（図１および図２を参照）に取付けてもよい。選択アッセンブリ４０８は付加的ウェイト４０６に取付けられてもよい。図５３を参照し、選択アッセンブリ４０８はハンドル１０６から垂直方向にずれてもよく、付加的ウェイト４０６（図５３を参照のこと）の貫通孔４１０内に部分的に受容されてもよい。選択アッセンブリ４０８はハンドル１０６の長手軸４１４とほぼ平行に配置された回転軸４１２を規定してもよい。回転軸４１２は、付加的ウェイト４０６上の選択アッセンブリ４０８の特定の配置に応じて、ハンドルの長手軸４１４からずれても（垂直方向および／または横方向に）、またはそれと一致してもよい。しかし、多くの実施形態において、回転軸４１２はハンドルの長手軸４１４から少なくとも垂直方向にずれるであろう。
【０１０１】
図４９から図５２を参照し、選択アッセンブリ４０８は選択部材４１６、セレクター４１８および保持部材４２２を含み得る。図５１および図５２を参照し、選択部材４１６はシャフト４２４とシャフト４２４の遠位端に取り付けられたヘッド４２６を含み得る。シャフト４２４はほぼ円筒形でもよい。経路即ち溝４２８はシャフト４２４の外面に形成されてもよく、選択部材４１６のシャフト４２４の周りでらせん状の経路に延伸してもよい。
【０１０２】
選択部材４１６は、付加的ウェイト４０６に対して回転不可能であるが、直線状に移動可能であってもよい。選択部材４１６のヘッド４２６は、選択部材４１６が付加的ウェイト４０６に対して回転することが制限されるか、ほぼ制限されるように付加的ウェイト４０６の貫通孔４１０内に回転不可能に配置され得る。選択部材４１６のヘッド４２６および貫通孔４１０はヘッド４２６と付加的ウェイト４０６との間の相対的回転を防止するため対応する形状を有してもよい。例えば、ヘッド４２６は円弧状の部分として形成されてもよく、付加的ウェイト４０６は円弧状の開口として貫通孔４１０を規定してもよい。ヘッド４２６は選択部材４１６が付加的ウェイト４０６に対して摺動または直線状に移動できるように付加的ウェイト４０６の貫通孔４１０内に移動可能に受容され得る。ある実施形態では、選択部材４１６は軸方向に移動してもよい。
【０１０３】
図５１および図５２を参照し、セレクター４１８は動作可能に選択部材４１６と関連付けられて選択アッセンブリ４０８の選択部材４１６を直線状に移動させてもよい。セレクター４１８はレバーとして形成されてもよく、ハンドル部４３０とカラー部４３２とを含み得る。ハンドル部４３０は、ユーザーによる操作（図５０を参照）のため、ダンベル１０２のユーザーがアクセス可能であり得る。ハンドル部４３０は上方に延伸し得る。図５１および図５２を参照し、セレクター４１８のカラー部４３２はハンドル部４３０の下端に取り付けられ得る。カラー部４３２は選択部材４１６のシャフト４２４を受容するための受容キャビティー４３４を画定し得る。受容キャビティー４３４は、円筒形またはほぼ円筒形であり得るカラー部４３２の内壁４３６により画定され得る。１つまたは複数のリブ４３８が内壁４３６から径方向内側に突出して選択部材４１６のシャフト４２４内に形成された溝４２８内に受容されてもよく、その結果セレクター４１８の選択部材４０８の回転軸４１２を中心とした回転即ち回動動作が、選択アッセンブリ２５４、３６４の前述の実施形態の運動線と同様の線に沿った選択部材４１６の直線状の移動を生じる。代替的な実施形態において、１つまたは複数のリブ４３８は選択部材４１６のシャフト４２４から突出してもよく、溝４２８はセレクター４１８のカラー部４３２により画定されてもよい。
【０１０４】
図５０および図５３を参照し、セレクター４１８は付加的ウェイト４０６の近位凹面４４０と保持部材４２２との間に少なくとも部分的に配置されてもよい。凹面４４０は、セレクター４１８および保持部材４２２が凹部２５０から遠位に配置され、よって凹部２５０内の端部キャップ１２４のウェイト取付けフィーチャー２２４の受容と干渉しないように逆台形凹部２５０から遠位にずれてもよい。保持部材４２２は、例えばメンテナンスの目的で選択アッセンブリ４０８へのアクセスを提供するために着脱可能に付加的ウェイト４０６に取付けられてもよいか、または付加的ウェイト４０６に固定して取り付けられてもよい。
【０１０５】
図５０および図５３を引き続き参照し、セレクター４１８は選択部材４１６のシャフト４２４を中心とした回転即ち回動動作に制限され得る。セレクター４１８の直線的な動きは保持部材４２２により近位方向に、および付加的ウェイト４０６により遠位方向に制限され得る。セレクター４１８の径方向動作はカラー部４３２の対向する端部を保持部材４２２の内壁４４２、４４４と付加的ウェイト４０６の各々（図５３を参照）内に配置することにより制限され得る。内壁４４２、４４４は直線状に延伸するキャビティーを画定し得、キャビティーを通して選択部材４１６はセレクター４１８により係合（即ち選択された）位置と離脱（即ち非選択）位置との間を直線状に移動され得る。図４９から図５７Ｂに示される実施形態のようなある実施形態において、選択部材４１６の直線的な動作は軸方向の動作であってもよい。
図５３を参照し、端部キャップ１２４は、選択部材４１６が係合即ち選択位置にある場合に選択部材４１６を受容するように構成され得る。端部キャップ１２４は選択部材４１６のシャフト４２４と軸方向に整列する受容穴４４６を規定し得る。受容穴４４６はシャフト１２７の長手軸４１４と横方向に整列するが、垂直方向にずれてもよい。
【０１０６】
図５１および図５２を参照し、セレクター４１８はカムフィーチャー４５０を含み得る。カムフィーチャー４５０はハンドル部４３０の反対にあるカラー部４３２から外側に延伸し得る。カムフィーチャー４５０はカム面４５６により互いに分離された一対のパーキング位置即ちシート４５２、４５４を含み得る。一方のパーキング位置４５２は選択部材４１６が離脱または非選択位置にある位置に対応し得、他方のパーキング位置４５４は選択部材４１６が係合即ち選択位置にある位置に対応し得る。カム面４５６はパーキング位置４５２、４５４の途中に配置された頂点４５８を規定し得る。頂点４５８はパーキング位置４５２、４５４よりもカラー部４３２から遠くに離間して配置され得る。
【０１０７】
図５３から図５７Ｂを参照し、選択アッセンブリ４０８はセレクター４１８の角度の方向に応じて選択部材４１６を係合即ち選択位置または離脱即ち非選択位置へ移動させるように構成される付勢フィーチャー４６０を含み得る。付勢フィーチャー４６０は付加的ウェイト４０６の凹面４４０と保持部材４２２との間に軸方向に配置され得る。付勢フィーチャー４６０は選択部材４１６とハンドル１０６との間に垂直に配置され得る。付勢フィーチャー４６０は選択アッセンブリ４０８の回転軸４１２およびシャフト１２７の長手軸４１４にほぼ垂直に延伸するほぼ垂直な軸を中心に方向付けられ得る。付勢フィーチャー４６０はインターフェース部材４６２および付勢部材４６４を含み得る。インターフェース部材４６２はセレクター４１８のカム面４５６に摺動可能に接触し得る。付勢部材４６４はインターフェース部材４６２を付勢してカム面４５６と接触させ得る。
【０１０８】
図５４Ａおよび図５４Ｂを参照し、選択アッセンブリ４０８は離脱即ち非選択位置に描かれる。離脱即ち非選択位置において、選択部材４１６は分離平面４６６の遠位に配置され得、よってハンドルアッセンブリ１１４と付加的ウェイト４０６の間の相対的な垂直移動を許可する。付勢フィーチャー４６０はセレクター４１８に付勢力を付与して、セレクター４１８に十分な力が付与されて付勢力に打ち勝ち、セレクター４１８を回転軸４１２の周りで回転させるまで選択部材４１６を離脱即ち非選択位置に保持し得る。離脱即ち非選択位置において、インターフェース部材４６２は第１のパーキング位置４５２に固定され得、付勢部材４６４はインターフェース部材４６２をこのパーキング位置４５２に付勢し得る。更に、選択部材４１６のヘッド４２６は付加的ウェイト４０６の遠位面２５８から遠位に突出し、付加的ウェイト４０６がハンドルアッセンブリ１１４から離脱することの表示をユーザーに提供し得る。
【０１０９】
図５７Ａおよび図５７Ｂを参照し、選択アッセンブリ４０８は係合即ち選択位置に描かれる。この位置において、選択部材４１６は端部キャップ１２４と付加的ウェイト４０６との間に規定された分離平面４６６を越えて延伸し得、よってハンドルアッセンブリ１１４（図３から図５を参照）と付加的ウェイト４０６との間の相対的な垂直移動を防止する。ハンドルアッセンブリ１１４と付加的ウェイト４０６がベース１０４上に配置されると、付加的ウェイト４０６の逆台形凹部２５０の側壁２５２は端部キャップ１２４のウェイト取付けフィーチャー２２４の側壁２２８と係合し得、端部キャップ１２４に対する付加的ウェイト４０６の軸方向、横方向および回転動作を防止する。選択部材４１６が垂直な分離平面４６６を越えて延伸すると、選択アッセンブリ４０８は付加的ウェイト４０６に対する端部キャップ１２４の垂直移動を防止またはほぼ防止し、またその逆も成り立ち、結果として付加的ウェイト４０６がハンドルアッセンブリ１１４に固定して取り付けられる。
図５７Ｂを引き続き参照し、係合即ち選択位置において、選択部材４１６の近位端部４６８は分離平面４６６の近位に配置され得、端部キャップ１２４の（図５３を参照）開口４４６内に受容され得る。選択部材４１６の近位端４６８および開口４４６を画定する端部キャップ１２４の内壁はテーパー状であり、選択部材４１６が開口４４６に挿入されやすくする。テーパー状の壁は選択部材４１６と端部キャップ１２４との間のぴったりとした嵌合を容易にし得る。
【０１１０】
図５７Ａおよび図５７Ｂを参照し、付勢フィーチャー４６０は選択部材４１６にセレクター４１８を通して付勢力を付与して、セレクター４１８に十分な力が付与されて付勢力に打ち勝ち、セレクター４１８を回転軸４１２の周りで回転させるまで選択部材４１６を係合即ち選択位置に保持し得る。インターフェース部材４６２は第２のパーキング位置４５４に固定され得、付勢部材４６４はインターフェース部材４６２をパーキング位置４５４へ付勢し得る。係合即ち選択位置において、選択部材４１６のヘッド４２６は付加的ウェイト４０６の遠位面２５８とほぼ水平または面一であり、付加的ウェイト４０６がハンドルアッセンブリ１１４と係合することを示し得る。
選択部材４１６を図５４Ａおよび図５４Ｂの離脱即ち非選択位置から図５７Ａおよび図５７Ｂの係合即ち選択位置へ移動させるため、ユーザーはセレクター４１８を選択アッセンブリ４０８の回転軸４１２の周りで回転即ち回動させてもよい。セレクター４１８の回転動作は内部リブ４３８と周辺溝４２８の係合（図５１および図５２を参照）により選択部材４１６を直線状に移動させる。セレクター４１８の回転範囲は約９０°であってもよい。しかし、回転範囲は、９０°より大きくても、または小さくてもよい。
【０１１１】
図５４Ａから図５５Ｂを参照し、ユーザーはセレクター４１８のハンドル部４３０を握り、セレクター４１８を選択部材４１６の周りで回動させ得る。ユーザーがセレクター４１８を回動させる時、セレクター４１８のカム面４５６はハンドル部４３０と同じ角度の方向に移動し、それによりインターフェース部材４６２は第１のパーキング位置４５２から移動される。セレクター４１８の回転動作は選択部材４１６をハンドルアッセンブリ１１４へ向けて直線的に駆動させる。更に、セレクター４１８の継続した回転動作により、カム面４５６はインターフェース部材４６２を付勢部材４６４の付勢に抗して下方に移動させる。ユーザーがインターフェース部材４６２がカム面４５６の頂点４５８を越えて通過する前にセレクター４１８を解放すれば、付勢部材４６４によりインターフェース部材４６２を介してカム面４５６に付与される付勢力はセレクター４１８を離脱即ち非選択位置へ戻す。
【０１１２】
図５６Ａから図５７Ｂを参照し、インターフェース部材４６２がカム面４５６の頂点４５８を越えて通過する時（これはハンドル部４３０が垂直方向を越えて通過する時に起こり得る）、ユーザーはセレクター４１８を選択部材４１６の周りで係合即ち選択位置へ回転させ続けてもよい。セレクター４１８の回転動作は選択部材４１６をハンドルアッセンブリ１１４へ直線的に駆動し続ける。インターフェース部材４６２は、カム面４５６に対する上方の力を付与することにより、選択部材４１６の係合即ち選択位置への移動を容易にし得る。インターフェース部材４６２がカム面４５６の頂点４５８を越えて通過した後にユーザーがセレクター４１８を解放すれば、付勢部材４６４によりインターフェース部材４６２を介してカム面４５６に付与された付勢力はセレクター４１８を第２のパーキング位置４５４へ回転し、よって選択部材４１６を図５７Ａおよび図５７Ｂの係合即ち選択位置へ移動させ得る。そのため、付勢フィーチャー４６０は安全装置として機能し、選択部材４１６が離脱即ち非選択位置または係合即ち選択位置にあることを確実にし得る。
ある実施において、ユーザーは選択部材４１６のヘッド４２６を付加的ウェイト４０６の遠位面２５８へ押圧し、選択部材４１６を図５４Ａおよび図５４Ｂの離脱即ち非選択位置から図５７Ａおよび図５７Ｂの係合即ち選択位置へ移行させ得る。これらの実施において、選択部材４１６の直線的動作はセレクター４１８をリブ４３８と溝４２８との相互作用により（図５１および図５２を参照）回転軸４１２の周りで回転させ得る。
【０１１３】
図１、図２および図５８から図６０を参照し、調節可能なダンベルシステム１００は第１のウェイトアッセンブリ４７０を含み得る。第１のウェイトアッセンブリ４７０は図２０および図２１に描かれた第１のウェイト１０８ａと、第１のウェイト１０８ａに入れ子にされた補助ウェイト４７２を含み得る。第１のウェイト１０８ａは全体に図２０および図２１に描かれたものと同じであるが、係合フィーチャー２３８が第１のウェイト１０８ａの遠位側に取り付けられ、ウェイト１０８ａが第１のウェイト１０８ａの内側壁２３７から内側に延伸する１つまたは複数の位置決め壁４７４を含み、補助ウェイト４７２を内側壁２３７に沿って軸方向に配置し得る。補助ウェイト４７２は、表示ディスク１２０、セパレーターディスク１２１またはセレクターディスク１２２のうちの１つのスリーブを受容するための経路即ちスロット２３６を形成し得る。経路２３６は補助ウェイト４７２の周囲を通って延伸し得、ウェイト４７２の長手方向中央線の周りに配置される半円の円弧で終結し得る。経路２３６は半円の円弧の直径と等しい一定の幅を有し得る。経路２３６はディスク１２０、１２１、１２２のスリーブを経路２３６内で回転させ、付随的に摩擦を通してウェイトを移動させるのみの大きさであり得る。
【０１１４】
補助ウェイト４７２は、補助ウェイト４７２をハンドルアッセンブリ１１４に固定するために補助ウェイト４７２の近位側に取り付けられる係合フィーチャー２３８を含み得る。補助ウェイト４７２はいくつかのウェイト選択のために第１のウェイト１０８ａから分離したハンドルアッセンブリ１１４に固定され得る。第１のウェイト１０８ａが選択されるウェイト選択を行うため、補助ウェイト４７２も選択され得る。ある実施において、補助ウェイト４７２の各々は約１．２５ポンド（約５６６．９９グラム）の重量であり、よってダンベル１０２に対し２．５ポンド（１１３３．９８グラム）のウェイト増分を提供する。ある実施では、第１のウェイト１０８ａは約１３．５７ポンド（約６１５５．２４グラム）の重量であり補助ウェイトは約１．２５ポンド（約５６６．９９グラム）の重量であり、その結果第１のウェイト１０８ａと補助ウェイト４７２の組み合わせた重量は約１５ポンド（約６８０３．８８グラム）である。
【０１１５】
図６０を参照し、補助ウェイト４７２は表示ディスク１２０と第１のセパレーターディスク１２１ａとの間に配置され得る。表示ディスク１２０のウェイト選択フィーチャー１５７（図１０を参照のこと）は補助ウェイト４７２の係合フィーチャー２３８（図５９を参照のこと）から径方向外側に離間して重ね合わされてもよい。ウェイト選択フィーチャー１５７が補助ウェイト４７２の係合フィーチャー２３８の下に位置する表示ディスク１２０の回転方向において、補助ウェイト４７２はダンベル１０２上に保持され得る。
【０１１６】
図６０を尚参照し、第１のウェイト１０８ａは第１のセパレーターディスク１２１ａと第１のセレクターディスク１２２ａとの間に配置され得る。ウェイト選択フィーチャー１５７のためのフランジと係合フィーチャー２３８のためのタブを使用する実施形態のため、セレクターディスク１２２ａの近位フランジ（図１３を参照）は第１のウェイト１０８ａのタブ（図５８を参照）から径方向外側に離間して重ね合わされてもよい。更に、近位のフランジの１つが第１のウェイト１０８ａのタブの下に位置する第１のセレクターディスク１２２ａの回転方向において、ウェイト１０８ａはハンドルアッセンブリ１１４に接合され得る。これらの回転方向において、補助ウェイト４７２は以下の１つまたは複数によりハンドルアッセンブリ１１４にも接合され得る。即ち、表示ディスク１２０のフランジが補助ウェイト４７２のタブの下に位置する、または第１のウェイト１０８ａの内側壁２３７が補助ウェイト４７２の対向する側壁４７６の下に位置する（図５９を参照のこと）。ある実施形態では、補助ウェイト４７２は第１のウェイト１０８ａが選択された時に常に選択され得るが、その逆は成り立たないかもしれない。つまり、これらの実施形態において、補助ウェイト４７２は第１のウェイト１０８ａを選択せずに選択されてもよい。
【０１１７】
図６０を引き続き参照し、セパレーターディスク１２１ａ、１２１ｂおよびセレクターディスク１２２ａ、１２２ｂはシャフト１２７の長手軸に沿って交互になってもよい。ある実施形態において、セパレーターおよびセレクターディスク１２１ａ、１２１ｂおよびセレクターディスクはセパレーターディスク１２１、セレクターディスク１２２、セパレーターディスク１２１、セレクターディスク１２２等の連続パターンを規定してもよい。セパレーターディスク１２１とセレクターディスク１２２の他のパターンも可能であり、またはパターンが無い場合も可能である。ある実施形態において、等しい数のセパレーターディスクおよびセレクターディスク１２１、１２２が存在し得る。例えば、ハンドル１０６の両側に２つのセパレーターディスク１２１と２つのセレクターディスク１２１が存在し得る。ある実施例において、セレクターディスク１２２ａ、１２２ｂの全ては、各セレクターディスク１２２ａ、１２２ｂの近位面および遠位面の各々から突出する第１のウェイト選択フィーチャー１８６と第２のウェイト選択フィーチャー１９０を含み得る。
【０１１８】
図６１を参照し、調節可能なダンベルシステム５００が描かれる。ダンベルシステム５００は調節可能なダンベル５０２とベース５０４を含む。ダンベル５０２のウェイトを変えるため、ユーザーはダンベル５０２をベース５０４に配置し、ダンベル５０２のハンドルを回転してウェイトの望ましい組み合わせを係合させ、ダンベル５０２をベース５０４から取り外し望ましい運動を行ってもよい。ダンベル５０２は全体に前述のダンベルシステム１０２に関連して記載され描かれたのと同じ特徴を含み、よって簡潔にするため本明細書気では繰り返さない。ベース５０４はダンベル５０２を受容し得、ユーザーにダンベル１０２のウェイトを調節可能とし得る。ダンベル５０２の使用中、ベース５０４はダンベル５０２に取付けられていないウェイトを保持し得る。
【０１１９】
図６１および図６２を参照し、ベース５０４は追加のウェイト２４０、３６２、４０６を収容するために再構成可能であり得る。ベース５０４は一対の取り外し可能な端部壁５０６を含み得る。端部壁５０６は遠位のウェイトに隣接するベース５０４へ取り付けられ得る。端部壁５０６はベース５０４から取り外し可能でもあり、追加のウェイト２４０、３６２、４０６に対する支持位置５０８を生成する。端部壁５０６およびベース５０４は端部壁５０６のベース５０４に対する取り付けを容易にするため対応する取付けフィーチャー５１０、５１２を各々含み得る。
【０１２０】
図６３を参照し、端部壁５０６の取付けフィーチャー５１０は１つまたは複数のかかりのついた突起５１４を含み得、ベース５０４の取り付けフィーチャー５１２はベース５０４の底壁５１８を通って形成された１つまたは複数の開口５１６を含み得る。突起５１４は端部壁５０６の下面から下方に延伸し得る。突起５１４は開口５１６を通って延伸し得、底壁５１８の下面５２０と係合して端部壁５０６をベース５０４に固定し得る。端部壁５０６は対向する側壁５２２と側壁５２２の上端に取り付けられた上壁５２４を規定する逆Ｕ字型の断面を含み得る。突起５１４は側壁５２２の下端から下方に延伸し得る。側壁５２２、上壁５２４またはその両方は弾性的に変形し、突起５１４が開口５１６を通過することを容易にし得る。
【０１２１】
図６４から図６７を参照し、調節可能なダンベルシステム５５０は調節可能なダンベル５５２およびダンベル５５２を支持するように構成された再構成可能なベース５５４を含んでもよい。図６４および図６５を参照し、ベース５５４は一対の端部壁５５８により共に取り付けられた一対のサイドレール５５６を含み得る。サイドレール５５６はほぼＬ字型でもよく、ベース５５４の長さ寸法に沿って延伸し得る。端部壁５５８はほぼ矩形でもよく、ベース５５４の幅寸法に沿って延伸し得る。端部壁５５８は例えばファスナー５５９を有するサイドレール５５６の対向する端部に取り付けられ得る。サイドレール５５６の上下の端部はサイドレール５５６の隣接する内面の上に折り畳まれ、長手方向に延伸する受容経路を規定する内側に折り返されたフランジ５６０を形成し得る。取り外し可能な挿入部５６２がサイドレール５５６の内面に沿って配置され得る。挿入部５６２は長手方向に延伸する端部５６４を含み得、その端部はフランジ５６０により規定された受容経路内に摺動可能に受容され得る。挿入部５６２はベース５５４内の直立位置のウェイトを支持するように構成された１つまたは複数の位置決め壁５６６を含み得る。挿入部５６２は端部壁５５８に隣接して配置され得る。ベース５５４は挿入部５６２の間およびハンドルの露出された位置の下（図６６を参照）に配置された中央トレー５６８を含み得る。中央トレー５６８はフランジ５６０によりサイドレール５５６に摺動可能に取り付けられ得る。
【０１２２】
図６６および図６７を参照し、ダンベルシステム５５０は付加的ウェイト５７０を含み得る。付加的ウェイト５７０を収容するため、ベース５５４は長さ方向に再構成可能であってもよい。ベース５５４はサイドレール５５６と端部壁５５８との間に配置された長さ拡張部５７２を含み得る。長さ拡張部５７２は全体にサイドレール５５６のものと同じ断面形状を有し得る。長さ拡張部５７２の上下の端部５７４は長さ拡張部５７２の長さ方向に延伸する貫通孔５７６を規定し得る。貫通孔５７６は端部壁５５８および長さ拡張部５７２をサイドレール５５６に取付けるのに使用されるファスナーの一部を受容するように構成され得る。サイドレール５５６に取り付けられると、長さ拡張部５７２はウェイト５７０がダンベル５５２に取付けられていない時、付加的ウェイト５７０を直立位置に支持し得る。
【０１２３】
前述のことは、多くの利点を有する。例えば、記載したようにダンベルシステムは、ウェイト選択間での比較的小さいウェイト増分による軽いウェイトの練習と、重いウェイトの練習に、ハンドルアッセンブリを分解せずに対応する単一のダンベルを提供してもよい。ダンベルシステムは、２つの異なるタイプのウェイト選択方法を含んでもよい。一方のウェイト選択方法は、ハンドルを回転軸の周りで回転させ、１つ以上のウェイトをダンベルのハンドルアッセンブリに、インデキシングおよび／またはセクターディスクの回転を介して接合することを伴ってもよい。かかる選択方法は、軽いウェイトのダンベルに有用であってもよく、かつ／または調節可能なダンベルのウェイト下限および上限の間で、２ポンド半の増分のような、比較的小さい増分のウェイト選択を可能にしてもよい。他方のウェイト選択方法は、選択部材を直線移動させ、ウェイトをダンベルのハンドルアッセンブリに結合させるために、セレクターを回転させることを伴ってもよい。この選択方法は、比較的大きなウェイトをダンベルに接合し、他のウェイトをハンドルアッセンブリに接合するために別の選択方法を使用する既存の調節可能なダンベルのウェイト上限を有意に増加させるために有用であってもよい。
【０１２４】
各アドオンウェイトは、本明細書において記載され、かつ必要に応じて適切に修正される選択アッセンブリの１つを利用して、隣接するアドオンウェイトに接合されてもよい。かかるアドオンウェイトのいずれも、隣接するアドオンウェイトに対して対応するウェイトアタッチメントフィーチャーと相互作用するウェイトアタッチメントフィーチャーを含むように更に修正してもよい。それ故に、ハンドルアッセンブリの各端部に複数のウェイトを有する調節可能なダンベルは、アドオンウェイトに選択アッセンブリを組み込むアドオンウェイトのみを使用して形成され得る。
【０１２５】
ウェイトと、ハンドルアッセンブリとの間の接続に関して請求項において使用されるように、語句「固定して接続される」、「固定して接合される」、またはそのバリエーション（例えば、「固定して接続する」、または「固定して接合する」）は、ウェイトとハンドルアッセンブリとの間の接続が、６つの剛体運動の自由度全部（即ち、３つの垂直軸における平行移動および３つの垂直軸の周りの回転）が、ウェイトとハンドルアッセンブリとの間で抑制されるような状態を指す。「固定して接続される」または「固定して接合される」状態で、ウェイトは、ユーザーによる体操での使用中にハンドルアッセンブリに接合された状態に留まることによって、ダンベルの総重量に寄与することが意図される。更に、ハンドルアッセンブリに接続されたウェイトに対して請求項中で使用されるように、語句「固定して接続されない」、「固定して接合されない」またはそのバリエーション（例えば「固定して接続しない」、または「固定して接合しない」）は、自由平行移動度の少なくとも１つがウェイトとハンドルアッセンブリとの間で抑制されないように、ウェイトとハンドルアッセンブリとの間の接続がなっている状態を指す。「固定して接続されない」、または「固定して接合されない」状態で、ハンドルアッセンブリは、制限されない自由平行運動度に従って、ウェイトに対して可動であり、その結果体操での使用中にウェイトは、ダンベルの総重量に寄与することが意図されないので、ウェイトに対するハンドルアッセンブリの十分な移動後に、ウェイトが、ハンドルアッセンブリから取り外される。更に、「固定して接続されない」、または「固定して接合されない」状態で、ウェイトが、制限されない自由平行運動度とともに、ダンベルに対してハンドルアッセンブリを十分に移動させることによって、体操の開始前に、ハンドルアッセンブリから外されないならば、ウェイトが、体操中に制限されない自由平行運動度とともに十分に移動する時、ウェイトは、（概してハンドルアッセンブリを摺動して外すことによって）ハンドルアッセンブリから取り外される。
【０１２６】
前述の記載は、幅広い用途を有する。いずれの実施態様の考察も、専ら説明のためであることが意味され、かつ請求項を含む開示の範囲がこれらの実施例に限定されることを示唆することは、意図されない。換言すると、開示の例示となる実施態様が、本明細書において詳細に記載されたが、発明概念は、他の方法で様々に具体化され、かつ用いられてもよく、かつ添付された請求項は、先行技術によって限定される場合を除き、かかる応用例を含むように解釈されることが意図される。
【０１２７】
前述の考察は、例示および説明の目的で提示され、かつ開示を本明細書に開示された形状に限定することは意図されない。例えば、開示の種々の特徴が、開示を簡素化する目的で、１つ以上の態様、実施態様または形態において一緒にグループ化される。しかしながら、開示のある種の態様、実施態様または形態の種々の特徴は、代替の態様、実施態様または形態と組み合わされてもよい。更に以下の請求項は、この詳細な説明に、この参照によって組み込まれ、自立している各請求項を本開示の個別の実施態様とする。
【０１２８】
全ての方向の指示（例えば、近位、遠位、上部、下部、上方、下方、左、右、横方向、長手方向、前、後、頂部、底部、上、下、垂直、水平、径方向、軸線方向、時計回り、および逆時計回り）は、本開示の読者の理解を助ける目的で、識別のために使用されているだけであり、かつ特に位置、配向、または使用に関する限定を引き起こさない。接続の指示（例えば、取り付けられた、結合された、接続された、および接合された）は、広く解釈されるべきであり、かつ別段の指示のない限り、要素の集合間の中間部材と、要素間の相対移動とを含んでもよい。このようにして、接続の指示は、２つの要素が直接接続され、かつ互いに固定された関係にあることを必ずしも意味しない。識別の指示（例えば、一次、二次、第１、第２、第３、第４等）は、重要性または優先度を含むことが意図されず、一方の特徴を他方から区別するために使用される。図面は、専ら例示目的であり、かつ本明細書に添付された図面に反映された寸法、位置、順序および相対的なサイズは、変動してもよい。
【図１】
0006383871.tif 000002
【図２】
0006383871.tif 000003
【図３】
0006383871.tif 000004
【図４】
0006383871.tif 000005
【図５】
0006383871.tif 000006
【図６】
0006383871.tif 000007
【図７】
0006383871.tif 000008
【図８】
0006383871.tif 000009
【図９】
0006383871.tif 000010
【図１０】
0006383871.tif 000011
【図１１】
0006383871.tif 000012
【図１２】
0006383871.tif 000013
【図１３】
0006383871.tif 000014
【図１４】
0006383871.tif 000015
【図１５】
0006383871.tif 000016
【図１６】
0006383871.tif 000017
【図１７】
0006383871.tif 000018
【図１８】
0006383871.tif 000019
【図１９Ａ】
0006383871.tif 000020
【図１９Ｂ】
0006383871.tif 000021
【図１９Ｃ】
0006383871.tif 000022
【図１９Ｄ】
0006383871.tif 000023
【図２０】
0006383871.tif 000024
【図２１】
0006383871.tif 000025
【図２２】
0006383871.tif 000026
【図２３】
0006383871.tif 000027
【図２４】
0006383871.tif 000028
【図２５】
0006383871.tif 000029
【図２６】
0006383871.tif 000030
【図２７】
0006383871.tif 000031
【図２８】
0006383871.tif 000032
【図２９】
0006383871.tif 000033
【図３０】
0006383871.tif 000034
【図３１】
0006383871.tif 000035
【図３２】
0006383871.tif 000036
【図３３】
0006383871.tif 000037
【図３４】
0006383871.tif 000038
【図３５】
0006383871.tif 000039
【図３６】
0006383871.tif 000040
【図３７】
0006383871.tif 000041
【図３８】
0006383871.tif 000042
【図３９】
0006383871.tif 000043
【図４０】
0006383871.tif 000044
【図４１】
0006383871.tif 000045
【図４２】
0006383871.tif 000046
【図４３】
0006383871.tif 000047
【図４４】
0006383871.tif 000048
【図４５】
0006383871.tif 000049
【図４６】
0006383871.tif 000050
【図４７】
0006383871.tif 000051
【図４８Ａ】
0006383871.tif 000052
【図４８Ｂ】
0006383871.tif 000053
【図４９】
0006383871.tif 000054
【図５０】
0006383871.tif 000055
【図５１】
0006383871.tif 000056
【図５２】
0006383871.tif 000057
【図５３】
0006383871.tif 000058
【図５４Ａ】
0006383871.tif 000059
【図５４Ｂ】
0006383871.tif 000060
【図５５Ａ】
0006383871.tif 000061
【図５５Ｂ】
0006383871.tif 000062
【図５６Ａ】
0006383871.tif 000063
【図５６Ｂ】
0006383871.tif 000064
【図５７Ａ】
0006383871.tif 000065
【図５７Ｂ】
0006383871.tif 000066
【図５８】
0006383871.tif 000067
【図５９】
0006383871.tif 000068
【図６０】
0006383871.tif 000069
【図６１】
0006383871.tif 000070
【図６２】
0006383871.tif 000071
【図６３】
0006383871.tif 000072
【図６４】
0006383871.tif 000073
【図６５】
0006383871.tif 000074
【図６６】
0006383871.tif 000075
【図６７】
0006383871.tif 000076